(57)【要約】  ワイヤレス通信デバイスが、企業によって定義され得る条件および環境に対応する複数のデバイスとして機能することを可能にする、ワイヤレス通信デバイスの異なるモードまたはペルソナを実施するための方法、システム、およびデバイス。オペレーティング・モードまたはペルソナは、企業によって選択され得るユーザ許可、デバイス機能、イネーブルされた能力、およびユーザ制限を含み得るオペレーティング特性のセットによって定義され得る。複数のモード／ペルソナ間の自動切替は、ワイヤレス通信デバイスのロケーション、近接度、時間、およびコンテキストのうちの何れかに基づくトリガによって制御され得る。モード制御能力の自動切替もまたこのようなトリガによって制御され得、企業が定義したトリガに応答して実施される自動モード／ペルソナをオーバーライドするユーザの能力を企業が制限すること、を可能にする。
2017514328.tif 000002
【特許請求の範囲】
【請求項１】
ワイヤレス通信デバイスにおいて複数のモードを自動的に制御するための方法であって、
ワイヤレスアイデンティティ送信機から信号を受信することと、ここにおいて、前記ワイヤレスアイデンティティ送信機から信号を受信することは、前記ワイヤレスアイデンティティ送信機が、前記ワイヤレス通信デバイスの定義された近接内にあることを示し、
前記ワイヤレス通信デバイスのロケーションを識別するジオフェンス・イベントの通知を受信することと、
前記示されたワイヤレスアイデンティティ送信機へ前記ワイヤレス通信デバイスの前記ロケーションを適用することによって、第１のオペレーティング・モードを決定することと、
前記第１のオペレーティング・モードに関連付けられたオペレーティング特性のセットを識別することと、
前記ワイヤレス通信デバイスにおいて、前記関連付けられたオペレーティング特性のセットを実施することによって、前記ワイヤレス通信デバイスの動作を、前記第１のオペレーティング・モードへ切り替えることと、
を備える、方法。
【請求項２】
前記ワイヤレス通信デバイスの動作を、前記第１のオペレーティング・モードへ切り替えることは、
前記ワイヤレス通信デバイスの現在のオペレーティング・モードに少なくとも部分的に基づいて、前記ジオフェンス・イベントおよび前記ワイヤレスアイデンティティ送信機が、前記第１のオペレーティング・モードへの自動モード切替に関連付けられているか否かを決定することと、
前記ジオフェンス・イベントおよび前記ワイヤレスアイデンティティ送信機が、前記第１のオペレーティング・モードへの自動モード切替に関連付けられていると決定することに応答して、前記ワイヤレス通信デバイスの前記現在のオペレーティング・モードを維持することと、
を備える、請求項１に記載の方法。
【請求項３】
前記第１のオペレーティング・モードが、少なくとも１つのモード制御能力に関連付けられているか否かを決定することと、ここにおいて、各モード制御能力は、前記第１のオペレーティング・モード以外のモードを選択するためのユーザ制御のレベルを定義する設定を備え、
前記第１のオペレーティング・モードが、少なくとも１つのモード制御能力に関連付けられていると決定することに応答して、新たなモード制御能力へ切り替えるか否かを決定することと、
をさらに備える、請求項１に記載の方法。
【請求項４】
新たなモード制御能力へ切り替えるか否かを決定することは、
前記第１のオペレーティング・モードに関連付けられた前記少なくとも１つのモード制御能力を識別することと、
前記少なくとも１つのモード制御能力が、前記第１のオペレーティング・モードに関連付けられた複数のモード制御能力を備えているか否かを決定することと、
前記少なくとも１つのモード制御能力が、前記第１のオペレーティング・モードに関連付けられた複数のモード制御能力を備えていると決定することに応答して、前記示されたワイヤレスアイデンティティ送信機と前記ワイヤレス通信デバイスの少なくとも前記ロケーションに基づいて、第１のモード制御能力を識別することと、
前記少なくとも１つのモード制御能力が、複数のモード制御能力を備えていないと決定することに応答して、前記第１のモード制御能力を、前記第１のオペレーティング・モードに関連付けられた前記１つのモード制御能力として識別することと、
を備える、請求項３に記載の方法。
【請求項５】
新たなモード制御能力へ切り替えるか否かを決定することはさらに、
前記識別された第１のモード制御能力を、前記ワイヤレス通信デバイスにおいて現在実施されているモード制御能力設定と比較することと、
前記識別された第１のモード制御能力が、前記現在実施されているモード制御能力設定に対応していないと決定することに応答して、前記第１のモード制御能力へ切り替えることと、
を備える、請求項４に記載の方法。
【請求項６】
前記第１のオペレーティング・モードに関連付けられた前記オペレーティング特性は、ユーザ許可、ユーザ制限、前記ワイヤレス通信デバイスにおける命じられたコンテンツ記憶ロケーション、および、前記ワイヤレス通信デバイスにおける通信のための命じられたサブスクリプションのうちの少なくとも１つを備え、
前記第１のオペレーティング・モードに関連付けられたオペレーティング特性のセット、および、前記第１のモード制御能力に関連付けられたモード制御能力設定は、企業によって生成される、請求項５に記載の方法。
【請求項７】
前記ワイヤレスアイデンティティ送信機から信号を受信することはさらに、前記ワイヤレスアイデンティティ送信機に関連付けられた少なくとも１つのコンテキストを示し、ここにおいて、前記少なくとも１つのコンテキストは、第２のロケーションを前記ワイヤレスアイデンティティ送信機へ適用することが、第２のオペレーティング・モードを決定するような、少なくとも１つの前記第２のロケーションに適用可能である、請求項１に記載の方法。
【請求項８】
前記第２のオペレーティング・モードは、前記第１のオペレーティング・モードのサブ・モードを備える、請求項７に記載の方法。
【請求項９】
カレンダ・アプリケーションによってスケジュールされたアポイントメント、時間ベースの制約、日付ベースの制約、および遠隔デバイスから受信した信号、からなるグループから選択されたアポイントメント追加トリガ・イベントの通知を受信すること
をさらに備える、請求項１に記載の方法。
【請求項１０】
前記示されたワイヤレスアイデンティティ送信機および前記ワイヤレス通信デバイスの前記ロケーションへ前記追加トリガ・イベントを適用することによって、前記第１のオペレーティング・モードの第２のオペレーティング・モードを決定すること
をさらに備える、請求項９に記載の方法。
【請求項１１】
前記第１のオペレーティング・モードに関連付けられた前記オペレーティング特性のセットを識別することは、
前記第１のオペレーティング・モードに関連付けられた前記オペレーティング特性が、前記ワイヤレス通信デバイスにおけるメモリ内に記憶されているか否かを決定することと、
前記第１のオペレーティング・モードに関連付けられた前記オペレーティング特性が、メモリ内に記憶されていないと決定することに応答して、前記第１のオペレーティング・モードに関連付けられた前記オペレーティング特性のセットを取得するための要求をサーバへ送信することと、
を備える、請求項１に記載の方法。
【請求項１２】
ワイヤレス通信デバイスであって、
無線周波数トランシーバと、
前記無線周波数トランシーバに結合され、
ワイヤレスアイデンティティ送信機から信号を受信することと、ここにおいて、前記ワイヤレスアイデンティティ送信機から信号を受信することは、前記ワイヤレスアイデンティティ送信機が、前記ワイヤレス通信デバイスの定義された近接内にあることを示し、
前記ワイヤレス通信デバイスのロケーションを識別するジオフェンス・イベントの通知を受信することと、
前記示されたワイヤレスアイデンティティ送信機へ前記ワイヤレス通信デバイスの前記ロケーションを適用することによって、第１のオペレーティング・モードを決定することと、
前記第１のオペレーティング・モードに関連付けられたオペレーティング特性のセットを識別することと、
前記ワイヤレス通信デバイスにおいて、前記関連付けられたオペレーティング特性のセットを実施することによって、前記ワイヤレス通信デバイスの動作を、前記第１のオペレーティング・モードへ切り替えることと、
を備える動作を実行するための、プロセッサ実行可能な命令で構成されたプロセッサと、
を備える、ワイヤレス通信デバイス。
【請求項１３】
前記ワイヤレス通信デバイスの動作を、前記第１のオペレーティング・モードへ切り替えることが、
前記ワイヤレス通信デバイスの現在のオペレーティング・モードに少なくとも部分的に基づいて、前記ジオフェンス・イベントおよび前記ワイヤレスアイデンティティ送信機が、前記第１のオペレーティング・モードへの自動モード切替に関連付けられているか否かを決定することと、
前記ジオフェンス・イベントおよび前記ワイヤレスアイデンティティ送信機が、前記第１のオペレーティング・モードへの自動モード切替に関連付けられていると決定することに応答して、前記ワイヤレス通信デバイスの前記現在のオペレーティング・モードを維持することと、
を備えるような動作を実行するためのプロセッサ実行可能な命令で、前記プロセッサが構成される、請求項１２に記載のワイヤレス通信デバイス。
【請求項１４】
前記第１のオペレーティング・モードが、少なくとも１つのモード制御能力に関連付けられているか否かを決定することと、ここにおいて、各モード制御能力は、前記第１のオペレーティング・モード以外のモードを選択するためのユーザ制御のレベルを定義する設定を備え、
前記第１のオペレーティング・モードが、少なくとも１つのモード制御能力に関連付けられていると決定することに応答して、新たなモード制御能力へ切り替えるか否かを決定することと、
をさらに備える動作を実行するための、プロセッサ実行可能な命令で前記プロセッサが構成される、請求項１２に記載のワイヤレス通信デバイス。
【請求項１５】
新たなモード制御能力へ切り替えるか否かを決定することが、
前記第１のオペレーティング・モードに関連付けられた前記少なくとも１つのモード制御能力を識別することと、
前記少なくとも１つのモード制御能力が、前記第１のオペレーティング・モードに関連付けられた複数のモード制御能力を備えているか否かを決定することと、
前記少なくとも１つのモード制御能力が、前記第１のオペレーティング・モードに関連付けられた複数のモード制御能力を備えていると決定することに応答して、前記示されたワイヤレスアイデンティティ送信機と前記ワイヤレス通信デバイスの少なくとも前記ロケーションに基づいて、第１のモード制御能力を識別することと、
前記少なくとも１つのモード制御能力が、複数のモード制御能力を備えていないと決定することに応答して、前記第１のモード制御能力を、前記第１のオペレーティング・モードに関連付けられた前記１つのモード制御能力として識別することと、
を備えるような動作を実行するためのプロセッサ実行可能な命令で、前記プロセッサが構成される、請求項１４に記載のワイヤレス通信デバイス。
【請求項１６】
新たなモード制御能力へ切り替えるか否かを決定することがさらに、
前記識別された第１のモード制御能力を、前記ワイヤレス通信デバイスにおいて現在実施されているモード制御能力設定と比較することと、
前記識別された第１のモード制御能力が、前記現在実施されているモード制御能力設定に対応していないと決定することに応答して、前記第１のモード制御能力へ切り替えることと、
を備えるような動作を実行するためのプロセッサ実行可能な命令で、前記プロセッサが構成される、請求項１５に記載のワイヤレス通信デバイス。
【請求項１７】
前記第１のオペレーティング・モードに関連付けられた前記オペレーティング特性が、ユーザ許可、ユーザ制限、前記ワイヤレス通信デバイスにおける命じられたコンテンツ記憶ロケーション、および、前記ワイヤレス通信デバイスにおける通信のための命じられたサブスクリプションのうちの少なくとも１つを備え、
前記第１のオペレーティング・モードに関連付けられた前記オペレーティング特性のセット、および、前記第１のモード制御能力に関連付けられたモード制御能力設定が、企業によって生成される、
ような動作を実行するためのプロセッサ実行可能な命令で、前記プロセッサが構成される、請求項１６に記載のワイヤレス通信デバイス。
【請求項１８】
前記ワイヤレスアイデンティティ送信機から信号を受信することがさらに、前記ワイヤレスアイデンティティ送信機に関連付けられた少なくとも１つのコンテキストを示すような動作を実行するためのプロセッサ実行可能な命令で、前記プロセッサが構成され、ここにおいて、前記少なくとも１つのコンテキストは、第２のロケーションを前記ワイヤレスアイデンティティ送信機へ適用することが、第２のオペレーティング・モードを決定するような、少なくとも１つの前記第２のロケーションに適用可能である、請求項１２に記載のワイヤレス通信デバイス。
【請求項１９】
前記第２のオペレーティング・モードが、前記第１のオペレーティング・モードのサブ・モードを備えるような動作を実行するためのプロセッサ実行可能な命令で、前記プロセッサが構成される、請求項１８に記載のワイヤレス通信デバイス。
【請求項２０】
カレンダ・アプリケーションによってスケジュールされたアポイントメント、時間ベースの制約、日付ベースの制約、および遠隔デバイスから受信した信号、からなるグループから選択された追加トリガ・イベントの通知を受信すること
をさらに備える動作を実行するためのプロセッサ実行可能な命令で、前記プロセッサが構成される、請求項１２に記載のワイヤレス通信デバイス。
【請求項２１】
前記示されたワイヤレスアイデンティティ送信機および前記ワイヤレス通信デバイスの前記ロケーションへ前記追加トリガ・イベントを適用することによって、前記第１のオペレーティング・モードの第２のオペレーティング・モードを決定すること
をさらに備える動作を実行するためのプロセッサ実行可能な命令で、前記プロセッサが構成される、請求項２０に記載のワイヤレス通信デバイス。
【請求項２２】
前記第１のオペレーティング・モードに関連付けられた前記オペレーティング特性のセットを識別することが、
前記第１のオペレーティング・モードに関連付けられた前記オペレーティング特性が、前記ワイヤレス通信デバイスにおけるメモリ内に記憶されているか否かを決定することと、
前記第１のオペレーティング・モードに関連付けられた前記オペレーティング特性が、メモリ内に記憶されていないと決定することに応答して、前記第１のオペレーティング・モードに関連付けられた前記オペレーティング特性のセットを取得するための要求をサーバへ送信することと、
を備えるような動作を実行するためのプロセッサ実行可能な命令で、前記プロセッサが構成される、請求項１２に記載のワイヤレス通信デバイス。
【請求項２３】
ワイヤレス通信デバイスであって、
ワイヤレスアイデンティティ送信機から信号を受信するための手段と、ここにおいて、前記ワイヤレスアイデンティティ送信機から信号を受信することは、前記ワイヤレスアイデンティティ送信機が、前記ワイヤレス通信デバイスの定義された近接内にあることを示し、
前記ワイヤレス通信デバイスのロケーションを識別するジオフェンス・イベントの通知を受信するための手段と、
前記示されたワイヤレスアイデンティティ送信機へ前記ワイヤレス通信デバイスの前記ロケーションを適用することによって、第１のオペレーティング・モードを決定するための手段と、
前記第１のオペレーティング・モードに関連付けられたオペレーティング特性のセットを識別するための手段と、
前記ワイヤレス通信デバイスにおいて、前記関連付けられたオペレーティング特性のセットを実施することによって、前記ワイヤレス通信デバイスの動作を、前記第１のオペレーティング・モードへ切り替えるための手段と、
を備える、ワイヤレス通信デバイス。
【請求項２４】
前記ワイヤレス通信デバイスの動作を、前記第１のオペレーティング・モードへ切り替えるための手段は、
前記ワイヤレス通信デバイスの現在のオペレーティング・モードに少なくとも部分的に基づいて、前記ジオフェンス・イベントおよび前記ワイヤレスアイデンティティ送信機が、前記第１のオペレーティング・モードへの自動モード切替に関連付けられているか否かを決定するための手段と、
前記ジオフェンス・イベントおよび前記ワイヤレスアイデンティティ送信機が、前記第１のオペレーティング・モードへの自動モード切替に関連付けられていると決定することに応答して、前記ワイヤレス通信デバイスの前記現在のオペレーティング・モードを維持するための手段と、
を備える、請求項２３に記載のワイヤレス通信デバイス。
【請求項２５】
新たなモード制御能力へ切り替えるか否かを決定するための手段は、
前記第１のオペレーティング・モードに関連付けられた少なくとも１つのモード制御能力を識別するための手段と、ここにおいて、各モード制御能力は、前記第１のオペレーティング・モード以外のモードを選択するためのユーザ制御のレベルを定義する設定を備え、
前記少なくとも１つのモード制御能力が、前記第１のオペレーティング・モードに関連付けられた複数のモード制御能力を備えているか否かを決定するための手段と、
前記少なくとも１つのモード制御能力が、前記第１のオペレーティング・モードに関連付けられた複数のモード制御能力を備えていると決定することに応答して、前記示されたワイヤレスアイデンティティ送信機と前記ワイヤレス通信デバイスの少なくとも前記ロケーションに基づいて、第１のモード制御能力を識別するための手段と、
前記少なくとも１つのモード制御能力が、複数のモード制御能力を備えていないと決定することに応答して、前記第１のモード制御能力を、前記第１のオペレーティング・モードに関連付けられた前記１つのモード制御能力として識別するための手段と、
前記第１のオペレーティング・モードが、少なくとも１つのモード制御能力に関連付けられていると決定することに応答して、前記識別された第１のモード制御能力を、前記ワイヤレス通信デバイスにおいて現在実施されているモード制御能力設定と比較するための手段と、
前記識別された第１のモード制御能力が、前記現在実施されているモード制御能力設定に対応していないと決定することに応答して、前記第１のモード制御能力へ切り替えるための手段と、
を備える、請求項２３に記載のワイヤレス通信デバイス。
【請求項２６】
前記第１のオペレーティング・モードに関連付けられた前記オペレーティング特性のセットを識別するための手段は、
前記第１のオペレーティング・モードに関連付けられた前記オペレーティング特性が、前記ワイヤレス通信デバイスにおけるメモリ内に記憶されているか否かを決定するための手段と、
前記第１のオペレーティング・モードに関連付けられた前記オペレーティング特性が、メモリ内に記憶されていないと決定することに応答して、前記第１のオペレーティング・モードに関連付けられた前記オペレーティング特性のセットを取得するための要求をサーバへ送信するための手段と、
を備える、請求項２３に記載のワイヤレス通信デバイス。
【請求項２７】
ワイヤレスアイデンティティ送信機から信号を受信することと、ここにおいて、前記ワイヤレスアイデンティティ送信機から信号を受信することは、前記ワイヤレスアイデンティティ送信機が、ワイヤレス通信デバイスの定義された近接内にあることを示し、
前記ワイヤレス通信デバイスのロケーションを識別するジオフェンス・イベントの通知を受信することと、
前記示されたワイヤレスアイデンティティ送信機へ前記ワイヤレス通信デバイスの前記ロケーションを適用することによって、第１のオペレーティング・モードを決定することと、
前記第１のオペレーティング・モードに関連付けられたオペレーティング特性のセットを識別することと、
前記ワイヤレス通信デバイスにおいて、前記関連付けられたオペレーティング特性のセットを実施することによって、前記ワイヤレス通信デバイスの動作を、前記第１のオペレーティング・モードへ切り替えることと、
を備える動作を、ワイヤレスデバイスのプロセッサに実行させるように構成されたプロセッサ実行可能な命令を記憶した、非一時的なプロセッサ読取可能な記憶媒体。
【請求項２８】
前記ワイヤレス通信デバイスの動作を、前記第１のオペレーティング・モードへ切り替えることが、
前記ワイヤレス通信デバイスの現在のオペレーティング・モードに少なくとも部分的に基づいて、前記ジオフェンス・イベントおよび前記ワイヤレスアイデンティティ送信機が、前記第１のオペレーティング・モードへの自動モード切替に関連付けられているか否かを決定することと、
前記ジオフェンス・イベントおよび前記ワイヤレスアイデンティティ送信機が、前記第１のオペレーティング・モードへの自動モード切替に関連付けられていると決定することに応答して、前記ワイヤレス通信デバイスの前記現在のオペレーティング・モードを維持することと、
を備えるような動作を、ワイヤレス通信デバイスのプロセッサに実行させるように、前記記憶されたプロセッサ実行可能な命令が構成される、請求項２７に記載の非一時的なプロセッサ読取可能な記憶媒体。
【請求項２９】
新たなモード制御能力へ切り替えるか否かを決定することが、
前記第１のオペレーティング・モードに関連付けられた少なくとも１つのモード制御能力を識別することと、ここにおいて、各モード制御能力は、前記第１のオペレーティング・モード以外のモードを選択するためのユーザ制御のレベルを定義する設定を備え、
前記少なくとも１つのモード制御能力が、前記第１のオペレーティング・モードに関連付けられた複数のモード制御能力を備えているか否かを決定することと、
前記少なくとも１つのモード制御能力が、前記第１のオペレーティング・モードに関連付けられた複数のモード制御能力を備えていると決定することに応答して、前記示されたワイヤレスアイデンティティ送信機と前記ワイヤレス通信デバイスの少なくとも前記ロケーションに基づいて、第１のモード制御能力を識別することと、
前記少なくとも１つのモード制御能力が、複数のモード制御能力を備えていないと決定することに応答して、前記第１のモード制御能力を、前記第１のオペレーティング・モードに関連付けられた前記１つのモード制御能力として識別することと、
前記第１のオペレーティング・モードが、少なくとも１つのモード制御能力に関連付けられていると決定することに応答して、前記識別された第１のモード制御能力を、前記ワイヤレス通信デバイスにおいて現在実施されているモード制御能力設定と比較することと、
前記識別された第１のモード制御能力が、前記現在実施されているモード制御能力設定に対応していないと決定することに応答して、前記第１のモード制御能力へ切り替えることと、
を備えるような動作を、ワイヤレス通信デバイスのプロセッサに対して実行させるように、前記記憶されたプロセッサ実行可能な命令が構成される、請求項２７に記載の非一時的なプロセッサ読取可能な記憶媒体。
【請求項３０】
前記第１のオペレーティング・モードに関連付けられた前記オペレーティング特性のセットを識別することが、
前記第１のオペレーティング・モードに関連付けられた前記オペレーティング特性が、前記ワイヤレス通信デバイスにおけるメモリ内に記憶されているか否かを決定することと、
前記第１のオペレーティング・モードに関連付けられた前記オペレーティング特性が、メモリ内に記憶されていないと決定することに応答して、前記第１のオペレーティング・モードに関連付けられた前記オペレーティング特性のセットを取得するための要求をサーバへ送信することと、
を備えるような動作を、ワイヤレス通信デバイスのプロセッサに実行させるように、前記記憶されたプロセッサ実行可能な命令が構成される、請求項２７に記載の非一時的なプロセッサ読取可能な記憶媒体。
【発明の詳細な説明】
【技術分野】
【０００１】
関連出願
[0001]本願は、２０１４年２月１９日に出願された「Ａｕｔｏｍａｔｉｃ  Ｓｗｉｔｃｈｉｎｇ  ｏｆ  Ｍｏｄｅｓ  ａｎｄ  Ｍｏｄｅ  Ｃｏｎｔｒｏｌ  Ｃａｐａｂｉｌｉｔｉｅｓ  ｏｎ  ａ  Ｗｉｒｅｌｅｓｓ  Ｃｏｍｍｕｎｉｃａｔｉｏｎ  Ｄｅｖｉｃｅ」（ワイヤレス通信デバイスにおけるモードおよびモード制御能力の自動切替）と題され、この全体が本明細書において参照によって組み込まれている米国仮出願番号６１／９４１，６７４号に対する優先権の利益を主張する。
【背景技術】
【０００２】
[0002]セルラおよびワイヤレス通信技術は、過去数年にわたって急激な成長を見せた。この成長は、より優れた通信ハードウェア、より大きなネットワーク、およびより信頼性の高いプロトコルによって刺激された（fueled）。ワイヤレス・サービス・プロバイダは、現在、カスタマに、常に拡大する多様な一連の機能およびサービス（an ever-expanding array of features and services）を提案し、ユーザに、情報、リソース、および通信への先例のない（unprecedented）レベルのアクセスを提供することができる。今日のワイヤレス通信デバイスは、たとえば、カメラ、ＧＰＳ受信機、ＭＰ３プレーヤを含み得る。そして、ウェブ・コンテンツ、データ共有、アプリケーション・ダウンロード、および他の多くの機能へのアクセスを提供し得る。さらに、企業システムおよび／またはイントラネットへ出先からの接続（on-the-go connectivity to enterprise systems and/or intranets）を提供するモバイル・アプリケーションが、単一のワイヤレスデバイスが、一般に制限されていない環境においてユーザによって実施されるパーソナルアプリケーションおよびコンテンツに加えて、各々が異なるセキュリティのレベルを必要とし得る多くのモバイル環境にアクセスすることが可能となり得るような、利用可能性を増大させた。これら環境におけるデータおよびプログラムへのアクセスを分離するために、ワイヤレスデバイスにおいて、異なる「ペルソナ」（personas）またはオペレーティング・モードが実施され得る一方で、異なるペルソナへ切り替える動作は、典型的には、ユーザによってマニュアルでトリガされる。このため、特定のモードによって提供される利点は、単にこのモードから切り替えるユーザの能力によって、または、ユーザが特定の状況またはロケーションのための適切なモードへ切り替えることを忘れることによって、回避され（be circumvented）得る。さらに、いくつかのデバイス設定（settings）は、特定の条件に応答して自動的に変化するように構成され得る一方で、このような設定は典型的にはユーザ・インターフェースの機能（たとえば、ボリューム（volume）、ディスプレイ等）にのみ関連する。
【発明の概要】
【０００３】
[0003]さまざまな実施形態は、ワイヤレス通信デバイスにおいて複数のモードを自動的に制御するためのシステム、デバイス、および方法を提供する。さまざまな実施形態は、ワイヤレスアイデンティティ送信機から信号を受信することと、ジオフェンス・イベント（a geofence event）の通知を受信することと、示されたワイヤレスアイデンティティ送信機へワイヤレス通信デバイスのロケーションを適用することにより、第１のオペレーティング・モードを決定することと、第１のオペレーティング・モードに関連付けられた（この用語が本明細書において定義されるような）オペレーティング特性のセットを識別することと、ワイヤレス通信デバイスにおいて、関連付けられたオペレーティング特性のセットを実施することによって、ワイヤレス通信デバイスの動作を第１のオペレーティング・モードへ切り替えることと、を可能にする。いくつかの実施形態の方法およびデバイスでは、受信された信号は、ワイヤレスアイデンティティ送信機がワイヤレス通信デバイスの近接エリア（a proximity area）内にあることを示し、ジオフェンス・イベントは、ワイヤレス通信デバイスのロケーションを識別する。
【０００４】
[0004]さまざまな実施形態はまた、第１のオペレーティング・モードが、少なくとも１つのモード制御能力に関連付けられているか否かを決定することであって、ここにおいて、各モード制御能力は、第１のオペレーティング・モード以外のモードを選択するためのユーザ制御のレベルを定義する設定を含み得る、決定することと、第１のオペレーティング・モードが少なくとも１つのモード制御能力に関連付けられていると決定することに応答して、新たなモード制御能力へ切り替えるか否かを決定することと、を可能にする。
【０００５】
[0005]いくつかの実施形態の方法およびデバイスでは、第１のオペレーティング・モードに関連付けられたオペレーティング特性は、ユーザ許可、ユーザ制限、ワイヤレス通信デバイスにおける命じられた（mandated）コンテンツ記憶ロケーション、および、ワイヤレス通信デバイスにおける通信のための命じられたサブスクリプション（subscription）、のうちの少なくとも１つを含み得、第１のオペレーティング・モードに関連付けられたオペレーティング特性のセット、および、第１のモード制御能力に関連付けられたモード制御能力設定は、企業によって生成され得る。いくつかの実施形態の方法およびデバイスでは、第１のオペレーティング・モードに関連付けられたオペレーティング特性のセットを識別することは、第１のオペレーティング・モードに関連付けられたオペレーティング特性が、ワイヤレス通信デバイスにおけるメモリ内に記憶されているか否かを決定することと、第１のオペレーティング・モードに関連付けられたオペレーティング特性がメモリ内に記憶されていないと決定することに応答して、第１のオペレーティング・モードに関連付けられたオペレーティング特性のセットを取得するための要求をサーバへ送信することと、を含み得る。
【０００６】
[0006]ここに組み込まれ、この明細書の一部を構成している添付図面は、本発明の典型的な実施形態を例示し、上記に与えられた一般的な説明と、以下に与えられる詳細な説明とともに、本発明の機能を説明する役割を果たす。
【図面の簡単な説明】
【０００７】
【図１】[0007]図１は、さまざまな実施形態とともに使用するために適切なネットワークの通信システム・ブロック図である。
【図２】[0008]図２は、ジオフェンス・イベントによってトリガされる自動モード切替を管理するための実施形態の方法を例示するプロセスフロー図である。
【図３】[0009]図３は、近接ビーコンから受信されたブロードキャスト・メッセージによってトリガされる自動モード切替を管理するための実施形態の方法を例示するプロセスフロー図である。
【図４】[0010]図４は、例示的な企業に関連付けられ、ワイヤレス通信デバイスによって実施され得る、モードおよびモード制御能力を例示するデータ構造図である。
【図５】[0011]図５は、さまざまな実施形態とともに使用するために適切な例示的なワイヤレス通信デバイスのコンポーネント図である。
【図６】[0012]図６は、さまざまな実施形態とともに使用するために適切な例示的なサーバのコンポーネント図である。
【詳細な説明】
【０００８】
[0013]さまざまな実施形態が、添付図面を参照して詳細に記述されるであろう。可能であればどこでも、同じまたは同様の部位を称するために、図面のすべてにわたって同一の参照番号が使用されるであろう。特定の例および実施に対してなされる参照は、例示目的のためであり、本発明または特許請求の範囲の範囲を制限することは意図されていない。
【０００９】
[0014]「典型的である」という単語は「例、事例、あるいは実例として役立つ」ことを意味するために本明細書で使用される。「典型的」として本明細書に記載されるあらゆる実施は、他の実施よりも好適または有利であると必ずしも解釈される必要はない。
【００１０】
[0015]「ワイヤレスデバイス」および「ワイヤレス通信デバイス」という用語は、セルラ電話、スマートフォン（たとえば、ｉＰｈｏｎｅ(登録商標））、ウェブ・パッド、タブレット・コンピューティング・デバイス（「タブレット」）、インターネット対応セルラ電話、ＷｉＦｉ対応電子デバイス、情報携帯端末（ＰＤＡ）、ラップトップ・コンピュータ、パーソナル・コンピュータ、ショート・メッセージ・サービス（ＳＭＳ）メッセージ、マルチメディア・メッセージ・サービス（ＭＭＳ）メッセージおよび／または電子メール（ｅメール）を送信および受信するコンピュータ、および、ワイヤレストランシーバおよびプログラマブル・プロセッサを含む類似の電子デバイス、のうちの何れか１つまたはすべてを称するために本明細書において置換可能に使用される。しかしながら、「ワイヤレス通信デバイス」および「ワイヤレスデバイス」という用語は、列挙されたデバイスのリストに限定されるべきではない。
【００１１】
[0016]「オペレーティング・モード」という用語は、本明細書では、ワイヤレスデバイスにおいて特定のコンピューティング環境を提供する、設定、コンテンツ、ミドルウェア、ファームウェア、ドライバ、アプリケーション、および／または、ファイル・システムの組合せを称するために使用される。
【００１２】
[0017]参照の容易のために、「企業」という用語は、本明細書において、一般に、ワイヤレス通信デバイスがどのように振る舞うべきかを定義する必要性を有し得る組織、会社（businesses）、公共のおよび民間の施設、軍事および政府のエンティティ、アフィリエーション（affiliations）、クラブ、または他の組織を称するために使用される。企業のいくつかの限定しない例は、会社、学校、病院、軍事基地、政府施設、空港、国定公園、博物館、映画館、ショッピング・モール、大規模なスポーツ・イベント等を含む。
【００１３】
[0018]さまざまな実施形態は、異なるオペレーティング・モードとモード制御能力との間の自動的な切替のための方法、デバイス、およびシステムを提供し、これらは、本明細書では、一般に、組み合わせて、または、個別に「ペルソナ」と称される。このように、複数の企業は、単一のユーザ・デバイスが、いくつかの異なるデバイスとして振る舞い得るような、さまざまな限定およびカスタマイズを設定し得る。特定のトリガは、企業に関連付けられたオペレーティング・モードを備える能力、機能性、許可、および振る舞いからなる特定のセットのみならず、ユーザが異なるモードをマニュアルで選択し得る範囲（extent）を定義する特定のモード制御能力をアクティブ化し（activate）得る。さまざまな実施形態では、特定のトリガは、特定のデバイスへの近接度のみならず、（たとえば、ジオフェンスに関する）ロケーションとの組合せであり得る。さまざまな実施形態では、特定のトリガはさらに、日付、時刻、アプリケーションまたはコンテキスト・ベースの条件、遠隔ソースからのプロンプトの受信、およびそれらの任意の組合せを含み得る。
【００１４】
[0019]スマートフォン、タブレット・コンピュータ、ゲーム・デバイス等を含む現代のワイヤレスデバイスは、それらのユーザに、先例がない程度の接続、アクセス、利便性、および安全性を提供する。スマートフォンおよびタブレット・コンピューティング・デバイスのようなワイヤレスデバイスは、人気を伸ばし続けているので、それらは、現代社会をナビゲートし、互いにインタラクトし、多くの日常のタスクを迅速かつ効率的に達成するための必須の（indispensible）ツールに直ちになりつつある。この結果、多くの機関が、追加の機能を提供し、現在のソリューションを改善し、および／または、ユーザへの利便性を高めるために、モバイル技術を自分たちのシステムへ統合している。たとえば、学校または教室は、生徒に、学科内容へのモバイル・アクセスのみならず、ポータル、文書交換サーバ、および／または、統合学習アプリケーションのような他の機能を提供することによって、教室の授業を補足し得る。別の例において、病院は、通信効率を高め、精度を向上し、および／または、指定された情報を異なるユーザ・グループ（たとえば、医者、患者、保険提供者等）へ提供するために、さまざまなモバイル・ツールおよびプラットフォームを提供し得る。いくつかの機関では、内科医のワイヤレスデバイス上に提供されるアプリケーション・インターフェースが、患者データ（たとえば、センサ読出、実験結果（lab results）等）のモニタリングを可能にし得る。別の例において、会社は、仕事関連のタスク（たとえば、法人の電子メール・アカウント、カレンダ、データベース等へのワイヤレスアクセス）、時間ベースの制約、日付ベースの制約、または遠隔デバイスから受信した信号、のパフォーマンスを促進するために、従業員のワイヤレス通信デバイスに、コンテンツ、データ、およびアプリケーションへのモバイル・アクセスを提供し得る。たとえば、ワイヤレス通信デバイスは、カレンダ・アプリケーションによってスケジュールされた日付ベースの制約アポイントメントに基づいて、モバイル・アクセスを提供され得る。さらなる例では、空港、国定公園、博物館、映画館、ショッピング・モール、および競技場のようないくつかの公共施設は、いくつかのワイヤレスアクセスを制限、または、いくつかのデバイス設定（configurations）を制御（たとえば、デバイスをハッシュ・モードに強制）しながら、情報および／または広告を客へ提供し得る。
【００１５】
[0020]企業は、他の機能性を可能にしながら、それらのそれぞれのリソースへアクセスしているワイヤレスデバイスにさまざまな制限を課すことから利益を得ることができる。このような制限は、いくつか例を挙げると、アクセス・セキュリティ／認可、情報プライバシ、システム負荷、法令順守、およびユーザ経験に対する懸念（concerns）によって駆り立てられ（be driven）得る。
【００１６】
[0021]ワイヤレス通信デバイスに対する制限を課すための既存のソリューションは、異なる企業に対応する異なるモードで動作するようにデバイスを構成することを含む。ここでは、各々のためのデータおよびアプリケーションが、デバイスにおいて分離されている。しかしながら、企業はまた、改善された管理からも利益を得、異なるモードがユーザによってどのようにいつ実施されるのかについて制御し得る。
【００１７】
[0022]さまざまな実施形態は、単一のワイヤレスデバイスにおいて、異なる企業のための自動ペルソナ切替機能、モード制御能力、および、オペレーティング・モード、からなる包括的なセットを実施するためのシステムおよび方法を提供する。ユーザのワイヤレス通信デバイスにおけるセキュア・エンジンは、さまざまなトリガを検出するように、および、ユーザがモード／ペルソナをオーバーライド（override）または変更する能力を制限するためのモード制御能力の自動切替を含むモード／ペルソナの自動切替を実行するように、構成され得る。このような自動切替を実施するために使用され得るさまざまなトリガは、ジオフェンスおよび／または近接ビーコンのワイヤレスデバイスの検出、または、ジオフェンスおよび／または近接ビーコンとのワイヤレスデバイスのインタラクションを含む。他のトリガは、時間制限された設定、アプリケーションベースの条件、遠隔パーティによってリアルタイムで送信された信号、およびこの他を含み得る。さらに、ワイヤレス通信デバイスにおいて、特にカスタマイズされたモードまたはペルソナをトリガするために企業が使用し得る、極めて特定のコンテキストにおける自動的なモード切替を引き起こすために、トリガのさまざまな組合せが使用され得る。
【００１８】
[0023]さまざまな実施形態を実施するために、種々のワイヤレス通信デバイスが使用され得る。例示的なワイヤレス通信デバイスは、タブレット・コンピュータ（たとえば、アップル社のｉＰａｄ（登録商標）、および、他の製造者によって製造された類似の製品）およびスマートフォンを含み得る。ポータブルで、相当なコンピューティング能力、ほぼ連続的なセルラおよびＷｉＦｉネットワーク・アクセス、多くのアプリケーション、および直観的なユーザ・インターフェースを備えて構成されているため、このようなワイヤレス通信デバイスは、教育、ビジネス、および娯楽のリソースへのアクセスを提供するために理想的である。機能性および動作の観点から、これらのワイヤレスデバイスと他のタイプのワイヤレスデバイスとの間の差が、時間と共にさほど顕著ではなくなると予想される。したがって、さまざまな実施形態の説明を簡単にするために、図面および以下の実施形態の説明は、ユーザ・デバイス、ワイヤレス通信デバイス、および／または、ワイヤレスデバイスを、適用可能なすべてのタイプのデバイスの代表として称し得る。この参照は、特許請求の範囲の範囲を限定することは意図されていない。
【００１９】
[0024]さまざまな実施形態は、この例が図１に例示されているような種々の通信システム内で実施され得る。ワイヤレス通信システム１００は、インターネット１０８に接続された１つまたは複数のセルラ塔または基地局１０６、および、１つまたは複数のサーバ１１０、１１２を通してデータ信号１０３（たとえば、広域ネットワーク（ＷＡＮ）信号）で通信するように構成されたワイヤレス通信デバイス１０２のような複数のデバイスを含み得る。ワイヤレス通信デバイス１０２は、１つまたは複数のデータ信号１０３で、セルラ塔または基地局１０６とデータを交換し得、これらは、ＣＤＭＡ、ＴＤＭＡ、ＧＳＭ（登録商標）、ＰＣＳ、３Ｇ、４Ｇ、ＬＴＥ（登録商標）等またはこの他任意のタイプのセルラ接続であり得る。セルラ塔または基地局１０６は、ルータと通信し得、それは、インターネット１０８に接続し得る。このように、セルラ塔または基地局１０６、および／または、インターネット１０８への接続によって、データが、ワイヤレス通信デバイス１０２と（１つまたは複数の）サーバ１１０、１１２との間で交換され得る。実施形態では、サーバ１１０は、ウェブサイトに関連付けられたページおよび他のコンテンツをホストするウェブサーバのようなコンテンツ・サーバであり得る。実施形態では、別のサーバ１１２は、セルラ塔または基地局１０６を含むセルラ・ネットワークを介して、ワイヤレス通信デバイス１０２のさまざまなペルソナを管理する企業によって操作される企業の制御設定サーバであり得る。本明細書に記述されたワイヤレス通信デバイス、モデム、およびサーバの機能が、ＷＡＮセルラ接続およびモデムを参照して記述され得る一方で、これらの機能は、ワイヤードとワイヤレスとの両方である他のタイプの接続、および、他のタイプのワイヤレス通信デバイス、モデム、およびサーバとともに使用され得る。ＷＡＮセルラ接続、モデム、およびサーバは、本明細書において単に、さまざまな実施形態の機能を例示するために使用され、いずれにせよ、さまざまな実施形態を限定することは意図されていない。他のタイプのワイヤレス通信デバイス、モデム、およびサーバは、さまざまな実施形態とともに使用され、他のワイヤレス通信デバイス、モデム、およびサーバが、本発明の精神または範囲から逸脱することなく、さまざまな例において代用され得る。
【００２０】
[0025]実施形態では、ワイヤレス通信デバイスのオペレーティング・モード／モード制御能力を制御することを所望する企業は、時間におけるモード／能力部分のみ、または、特定の状況においてのみ、制御し得る。たとえば、学区（a school district）は、学校ペルソナを単に課したいのみであり得、それは、ワイヤレス通信デバイス１０２が、学区内の学校のグランドを定義するジオフェンス１０４内に位置するとき、オペレーティング・モードおよび／またはモード制御能力を含み得る。たとえば、ワイヤレス通信デバイス１０２は、学校ジオフェンス１０４内にある間、学校ペルソナに従って動作し、この他すべての時間において、ユーザが定義した（すなわち、制約の無い）ペルソナに従って動作するように構成され得る。したがって、学校ジオフェンス１０４内へ移動すると、ワイヤレス通信デバイス１０２は、学校ペルソナと一致しているこの許可機能、ユーザ・インターフェース、アクセス可能なアプリケーション等を変更し得る。このように、学区は、生徒が学校にいる場合、生徒によって使用されるワイヤレス通信デバイス１０２に制限を課し、機能をイネーブルし（enable）得る。
【００２１】
[0026]さまざまな実施形態では、ワイヤレス通信デバイス１０２は、多くの技術のうちの何れかを使用して、このロケーション、特にジオフェンス１０４内のこの位置を決定し得る。いくつかの実施形態では、ワイヤレス通信デバイス１０２は、全地球測位システム（ＧＰＳ）受信機を使用してこのロケーションを決定し、ジオフェンス１０４の境界を調整するために、このロケーションを比較し得る。いくつかの実施形態では、ワイヤレス通信デバイス１０２は、それらが接続されるセル塔１０６のセル塔識別子（ＩＤ）を、ジオフェンス１０４に相関付けられたセル塔ＩＤと比較し得る。たとえば、学校ジオフェンス１０４は、最も近接しているセル塔１０６のセル塔ＩＤによって定義され得る。
【００２２】
[0027]それに加えて、または、この代わりに、ワイヤレス通信デバイス１０２は、ワイヤレス近接ビーコン１０５からの信号を受信することによって、別のロケーションに対するこの位置を決定し得る。いくつかの実施形態では、ワイヤレス近接ビーコン１０５は、ジオフェンス１０４を定義する受信範囲を有する信号をブロードキャストし得る。たとえば、ワイヤレス近接ビーコン１０５は、Ｂｌｕｅｔｏｏｔｈ（登録商標）信号をブロードキャストし得る。Ｂｌｕｅｔｏｏｔｈ信号は、それらが、Ｂｌｕｅｔｏｏｔｈ信号からワイヤレス近接ビーコン１０５のＩＤを取得し、このＩＤを有する信号を受信した時が、ワイヤレス通信デバイスがジオフェンス１０４内にあることを示すと認識できるようにするアプリケーションを用いて構成される、ワイヤレス通信デバイス１０２によって受信され得る。いくつかの実施形態では、ワイヤレス近接ビーコンＩＤを認識し、および／または、このＩＤを特定のジオフェンス１０４に相関付けるプロセスは、ワイヤレス通信デバイス１０２が、このＩＤを含む観測メッセージ（a sighting message）を、セルラ・データ・ネットワークおよびインターネット１０８の信号１０３を介してサーバ１１０、１１２へ送信することと、サーバがこのＩＤを認識することと、サーバが、近接ビーコン、または、関連付けられたオペレーティング・モードおよび／またはモード制御能力を実施する必要性を、ジオフェンスの応答メッセージによってワイヤレス通信デバイスへ通知することと、を含み得る。
【００２３】
[0028]ワイヤレス通信システム１００は、インターネット１０８を介してアクセス可能な企業の制御設定サーバ１１２のような１つまたは複数の制御設定サーバを含み得る。企業の制御設定サーバ１１２とワイヤレスネットワークとの間の接続は、インターネット１０８を介し得るか、または、プライベート・ネットワークを介し得る。あるいは、企業の設定サーバ１１２は、ワイヤレスネットワークのネットワーク・インフラストラクチャ内のサーバとして実施され得る。制御設定サーバ１１２は、たとえばインターネット１０８を介して、企業のコンピューティングシステムへのアクセスを提供するさまざまなインターフェースを含み得る。企業は、自動モード切替およびモード制御能力切替のための設定を生成し、更新し、および／または維持するためにそれらが使用する自身の制御設定サーバ１１２を有し得る。あるいは、１つまたは複数の制御設定サーバ１１２は、複数の企業のためのペルソナ切替を管理するように構成された中央サーバであり得る。他の実施形態では、各企業９は、自身の制御設定サーバ１１２に関連付けられ得る。制御設定サーバ１１２は、さまざまなオペレーティング・モードまたはペルソナのみならず、異なるモード制御能力を定義する設定をも補う許可、設定、および制御のセットのいくつかまたはすべてを記憶するように構成され得る。それに加えて、制御設定サーバ１１２は、各企業によって設定されたトリガ条件のいくつかまたはすべてを記憶するように構成され得、これらは、ペルソナ切替エンジンが、自動切替のためのそれぞれのローカル設定を更新できるように、（たとえば、オーバ・ザ・エア更新によって（via over-the-air））定期的にワイヤレス通信デバイス１０２へ送信され得る。
【００２４】
[0029]ワイヤレス通信デバイス１０２の各オペレーティング・モードは、限定されないが、企業によって、イネーブル、ディセーブル、制限、および／または、さもなければ制御される（be enabled, disabled, restricted, and/or otherwise controlled）べきデバイス機能を指定するさまざまな許可、設定、制御、コンテンツ、および他の構成を含むオペレーティング特性のセットによって定義され得る。それに加えて、各オペレーティング・モードはまた、どのようにしてワイヤレス通信デバイスがこのアプリケーションおよび関連付けられたデータを分離するのかによって定義され得る。たとえば、個人のオペレーティング・モードにおけるモバイル・アプリケーションは、企業モードにおける何れのアプリケーションのデータにもアクセスできないことがある。さらに、各オペレーティング・モードまたはペルソナは、カメラ、スピーカ、Ｂｌｕｅｔｏｏｔｈトランシーバ、ディスプレイ、ＷｉＦｉトランシーバ、セルラ・トランシーバ等のようなデバイスの周辺コンポーネントを使用する能力を制御し得る。参照を容易にするために、オペレーティング・モードによって制御（および、それにより定義）され得る機能性、許可、設定、制限、データ分離、および周辺コンポーネント構成のすべては、本明細書では集合的および一般的に「オペレーティング特性」として称される。
【００２５】
[0030]特定のオペレーティング・モードを実施する結果として制限され得るワイヤレスデバイスの作用（functions）および機能（features）のいくつかの例は、ハードウェアコンポーネント（たとえば、カメラ、ＧＰＳ受信機、ＷｉＦｉトランシーバ等）、通常の電話（すなわち、音声通話）、シンプル・メッセージング・サービス（ＳＭＳ）メッセージング、およびマルチメディア・メッセージング・サービス（ＭＭＳ）メッセージングの使用を含む。特定のオペレーティング・モードを実施した結果としてイネーブルされ得るワイヤレスデバイスの作用および機能のいくつかの例は、制限されたデータ・ストレージへのアクセス、企業関連ポータル、オンライン・コラボレーション・ツール（たとえば、ｊｏｉｎ．ｍｅ（登録商標）、Ｓｋｙｐｅ（登録商標）等）、企業特有のコンタクト・リストへのアクセス等を含む。さまざまなオペレーティング・モードにおけるオペレーティング特性の企業制御の別の例は、特定のセルラ・データ・プランの使用を含み得る。いくつかの実施形態では、オペレーティング・モードは、ユーザに利用可能であり得る複数のサービス・プランの中から、特定のサービス・プランを指定する設定を含み得る。たとえば、「ワークプレイス」ペルソナのアクティブ化（activation）は、ユーザのワイヤレス通信デバイスが、ユーザの雇用者によって提供される通信サービス・プランへ切り替わるオペレーティング・モードのアクティブ化を含み得る。いくつかの実施形態では、ユーザ・デバイスは、特定の通信サービス・プランを、前に（previously）雇用者に関連付けていることがあり得る。代替実施形態では、「ワークプレイス」ペルソナのオペレーティング・モードは、利用可能なプランに対してチェックされるべきサービス・プラン・パラメータを提供し得、このベスト・マッチングが、ワイヤレスデバイス上における使用のために選択され得る。
【００２６】
[0031]いくつかの実施形態では、さまざまなペルソナのいくつかまたはすべてを定義するオペレーティング特性およびモード切替能力が、ワイヤレスデバイスのセキュア・メモリ・ロケーションにローカルに維持され得、それは、適切なトリガに応答してペルソナ切替エンジンによってアクセスされ得る。たとえば、オペレーティング特性および／またはモード切替能力は、先ず、制御設定サーバ１１２から受信され、ワイヤレスデバイスにおけるメモリ内に記憶され、制御設定サーバ１１２へプッシュされた通信を介して定期的に更新され得る。それに加えて、または、この代わりに、さまざまなペルソナのいくつかまたはすべてを定義するオペレーティング特性および／またはモード切替能力が、制御設定サーバ内に記憶され、適切な各トリガに応答して、ペルソナ切替エンジンによって要求され得る。いくつかの実施形態では、いくつかのペルソナに関連付けられたモード切替能力、および／または、オペレーティング特性は、ワイヤレス通信デバイスのローカルメモリ内に記憶され得る一方で、他は、制御設定サーバ１１２内に記憶され得る。実施形態では、一般化されたペルソナ（すなわち、複数の企業によって適用され得るペルソナ）のモード切替能力およびオペレーティング特性は、ローカルに記憶され得る一方で、カスタマイズされたペルソナ（すなわち、特定のシナリオまたはユーザを適合させるために企業によって生成されたペルソナ）のモード切替能力およびオペレーティング特性は、制御設定サーバ１１２内に記憶され得る。
【００２７】
[0032]実施形態では、一般化された「教育」ペルソナは、多くの異なる企業の何れかによって適用され得るモード切替能力およびオペレーティング・モードを指定し得る。たとえば、「教育」ペルソナへの切替は、インターネット・アクセスおよびセルラ・サービスを、ユーザ・デバイス上に制限させることのみならず、ゲームおよびオーディオ／ビジュアル記録をディセーブルさせ得る。さらに、「教育」ペルソナへの切替は、たとえば、教室学習における支援を行い得、および、ユーザが、「教育」ペルソナからマニュアルで切り替えることを阻止し得るもののように、デバイス上において、ある機能および／またはアプリケーションをイネーブルし得る。別の実施形態では、カスタマイズされた「数学１０１」ペルソナは、企業によって提案された特定の数学１０１コースに適用されるように設計されたモード切替能力およびオペレーティング・モードを指定し得る。たとえば、「数学１０１」ペルソナへの切替は、ユーザ・デバイスにおけるインターネット・アクセスを、特定のポータルまたはウェブ・ページのみに制限させ得、（たとえば、授業中に、電子メールを介して先生またはアシスタントへ質問を送るように）ある非破壊形式（certain non-disruptive forms）のみが、限定された受信者のセットのみと通信するために使用され得るように、通信サービスを制限させ得る。さらに、「数学１０１」ペルソナへの切り替えは、企業によって提案されている数学１０１コースに特有のコンテンツおよび／またはツールをアクティブ化し得る。いくつかの実施形態では、カスタマイズされたペルソナは、一般的なペルソナのサブ・モードとして実施され得る。
【００２８】
[0033]さまざまな実施形態では、ペルソナ切替エンジンは、オペレーティング・システムの下のセキュア・ソフトウェア・レイヤとして実施され得る。ワイヤレス通信デバイスのプロセッサ上で動作し、ペルソナ切替エンジンは、オペレーティング・システムに、さまざまなトリガの何れかとのインタラクションに基づいて、別のオペレーティング・モードおよび／またはモード制御能力へ切り替えさせ得る。このようなトリガを実施するために多くの技法およびシステムが使用され得る。この例は、限定されないが、近接ビーコンおよびジオフェンスを含む。
【００２９】
[0034]実施形態システムでは、企業が決定したロケーションへのユーザの近接が、このロケーションに関連付けられた近接ビーコンからの信号の受信によって認識され得る。一般に、（「ワイヤレスアイデンティティ送信機」とも呼ばれる）近接ビーコンは、ユニークでセキュアな識別コードを含むメッセージを、Ｂｌｕｅｔｏｏｔｈ（登録商標）低エネルギ（ＬＥ）トランシーバのような短距離ワイヤレス無線を介してブロードキャストするように構成され得る。識別ブロードキャスト・パケット（「ブロードキャスト・メッセージ」）は、ユーザに関連付けられた物理的に近似の近接ブロードキャスト受信機（physically proximate proximity broadcast receivers）によって受信され得る。たとえば、このような機能性は、特定のイベント検出アプリケーション（すなわち、「近接ブロードキャスト受信機アプリケーション」）を用いて構成されたワイヤレス通信デバイスにおいて実施され得る。近接ビーコンからのブロードキャスト・メッセージは、たとえば０〜２５フィート以内のような受信範囲内の近接ブロードキャスト受信機によって受信され得る。
【００３０】
[0035]他の実施形態システムでは、ユーザのロケーションは、ジオフェンスに関連付けられた信号の受信によって認識され得る。本明細書で使用されるように、「ジオフェンス」という用語は、ロケーション、エリア、または境界を定義する地理的な座標のセットを称し得、それは、満足されているとき、いくつかの関連付けられた機能性（たとえば、この場所におけるユーザの存在を記録すること、情報をプッシュすること、アラートを送信すること、動作（action）またはアプリケーションをトリガすること等）を開始する。さまざまな実施形態では、ジオフェンスは、座標間の複雑な多角形または線から構成され得る。したがって、「ジオフェンス」という用語は、境界線、中心点および半径、ベクトル空間、および／または、２Ｄまたは３Ｄのエリアまたは境界線を定義するためのこの他任意のデータ構造を定義する１つまたは複数の点または座標のセットを称し得る。いくつかの実施形態では、ジオフェンスは、緯度、経度、および高度の値によって定義される点によって指定され得る一方で、他の実施形態では、これら点は、通りのアドレス（a street address）、車道の交差点等によって定義され得る。
【００３１】
[0036]ジオフェンス境界およびサービスは、ジオフェンス・サーバによって提供され、維持され、または定義され得る。この例は、ＱＵＡＬＣＯＭＭ社によってサポートされているＧｉｍｂａｌ（登録商標）サーバである。さまざまな実施形態では、ワイヤレス通信デバイスは、たとえば、近くの企業に関連付けられたジオフェンスの地理的特性／ロケーションを受信するために、ジオフェンス・サーバと通信する特定のイベント検出アプリケーション（すなわち、「ジオフェンス対応アプリケーション」）を実行するように構成され得る。ワイヤレス通信デバイス上で実行している間、ジオフェンス対応アプリケーションは、たとえば、デバイスのＧＰＳ受信機、Ｗｉ−Ｆｉ（たとえば、事前にマップされたＷｉ−Ｆｉアクセス・ポイントロケーション）および／またはセルラ接続（たとえば、事前にマップされたセルラ塔ロケーション）によって、このロケーションを連続的に決定し得る。さまざまな実施形態では、ジオフェンス対応アプリケーションは、ジオフェンス・イベントが発生した（たとえば、ジオフェンス・エリアに入ったか、ジオフェンス・エリアを出たか等）か否かを決定するために、ワイヤレス通信デバイスのロケーションを、既知のジオフェンスのロケーションと比較し得る。
【００３２】
[0037]ジオフェンス・イベント情報は、ワイヤレス通信デバイスのペルソナ切替エンジンへ渡され得る。いくつかの実施形態では、ジオフェンス・イベント情報はまた、更新されたジオフェンス情報（すなわち、ワイヤレス通信デバイスの更新されたロケーションの近傍のジオフェンスのロケーション）を求める要求とともに、ジオフェンス・サーバへ送信され得る。他の実施形態では、ジオフェンス・サーバは、さまざまなワイヤレス通信デバイスにおいて動作しているジオフェンス対応アプリケーションのための情報を自動的に更新するように構成され得る。
【００３３】
[0038]図２は、ワイヤレス通信デバイス・プロセッサが、セキュアなペルソナ切替エンジンを実行することによって実施され得る実施形態方法２００を例示する。ブロック２０２では、少なくとも１つのトリガ・イベントの通知が、少なくとも１つの対応するイベント検出アプリケーションから受信され得る。いくつかの実施形態では、少なくとも１つのトリガ・イベントは、ジオフェンス・イベントおよび近接ブロードキャスト・メッセージのうちの何れかまたは両方であり得る。そして、少なくとも１つの対応するイベント検出アプリケーションは、ジオフェンス対応アプリケーションおよび近接ブロードキャスト受信機アプリケーションのうちの１つまたは両方であり得る。実施形態では、少なくとも１つの通知は、イベントのタイプ、地理的ロケーション、近接ビーコンの識別情報、および／または、対応するジオフェンスまたは近接ビーコンに関連付けられた企業識別子を含む少なくとも１つのトリガ・イベントに関する情報を含み得る。たとえば、第１のイベント通知は、ジオフェンスが越えられたこと、および、ワイヤレス通信デバイスが特定のアドレスおよび／または特定の識別された学校におけるジオフェンス・エリアに入ったことを、規定し得る。第２のイベント通知は、それに加えて、または、この代わりに、ワイヤレス通信デバイスが、特定の部屋または他の空間におけるビーコンのある近接内にあることを規定し得る。
【００３４】
[0039]決定ブロック２０４では、ワイヤレス通信デバイス・プロセッサは、少なくとも１つの受信された通知によって示されたトリガ・イベント、または、複数のトリガ・イベントの組合せが、自動モード切替（すなわち、新たなオペレーティング・モードへの切替）に関連付けられているか否かを決定し得る。トリガ・イベント／複数のイベントの組合せが、自動モード切替に関連付けられていないと決定すること（すなわち、決定ブロック２０４＝「Ｎｏ」）に応答して、ワイヤレス通信デバイス・プロセッサは、ブロック２０５において、現在のオペレーティング・モードを維持し、トリガ・イベントを無視し得る。トリガ・イベント／複数のイベントの組合せが、自動モード切替に関連付けられていると決定すること（すなわち、決定ブロック２０４＝「Ｙｅｓ」）に応答して、ワイヤレス通信デバイス・プロセッサは、ブロック２０６において、対応する新たなオペレーティング・モードを識別し得る。いくつかの実施形態では、対応する新たなオペレーティング・モードを識別することは、ローカル・データベース、または、ワイヤレス通信デバイスにおけるセキュアなストレージ内に維持された他のデータ構造にアクセスすることによって実行され得る。他の実施形態では、識別された新たなオペレーティング・モードは、中央制御設定サーバのようなサーバに問い合わせることによって識別され得る。
【００３５】
[0040]決定ブロック２０８では、ワイヤレス通信デバイス・プロセッサは、識別された新たなオペレーティング・モードを補うオペレーティング特性のセットが、ワイヤレス通信デバイスにおいて利用可能であるか否かを決定し得る。識別された新たなオペレーティング・モードを補うオペレーティング特性のセットが、利用可能ではないと決定すること（すなわち、決定ブロック２０８＝「Ｎｏ」）に応答して、ワイヤレス通信デバイス・プロセッサは、ブロック２１０において、このような情報を求める要求を、中央設定サーバへ送信し得、中央設定サーバは、識別されたオペレーティング・モードのオペレーティング特性に関する情報を返すことによって応答し得る。識別されたオペレーティング・モードを補うオペレーティング特性のセットが、利用可能であると決定すること（すなわち、決定ブロック２０８＝「Ｙｅｓ」）に応答して、ワイヤレス通信デバイス・プロセッサは、ブロック２１２において、ワイヤレス通信デバイスの識別された新たなオペレーティング・モードを実施することによって、自動切替を促し得る。いくつかの実施形態では、プロセッサ上で実行するオペレーティング・システムは、新たなオペレーティング・モードへの切替を実施し得る一方で、他の実施形態では、プロセッサは、オペレーティング・システムを含むことなく、新たなオペレーティング・モードへの切替を実施し得る。
【００３６】
[0041]ブロック２１４において、ワイヤレス通信デバイス・プロセッサは、モード制御能力が自動的に切り替えられるべきであるか否かを決定し得る。たとえば、ワイヤレス通信デバイス・プロセッサは、モード制御能力設定を識別するために、ローカル・データベースまたは他の構造へアクセスし得、これは、ユーザが、新たなオペレーティング・モードをマニュアルでオーバーライドする（すなわち、新たなオペレーティング・モードから切り替える）能力を有するべきであるか否かを命令し得る。さまざまな実施形態では、モード制御能力の初期デフォルト設定は、このようなオーバーライドを可能にし得る。いくつかの実施形態では、実施された新たなオペレーティング・モードは、特定のモード制御能力設定に関連付けられ得、これは、ローカル・データベースまたは他のデータ構造から取得されると、ワイヤレス通信デバイス・プロセッサによって自動的に実施され得る。他の実施形態では、複数のモード制御能力設定が、新たなオペレーティング・モードに関連付けられ、自動的な切替決定が、追加の基準に基づいて実行され得る。いくつかの実施形態では、ワイヤレス通信デバイスはまた、ワイヤレス通信デバイスにおいて実施された現在のモード制御能力設定を、モード制御能力が自動的に切り替えられるべきであるか否かの決定の一部として識別されたモード制御能力設定と比較し得る。
【００３７】
[0042]モード制御能力が切り替えられる必要はないと決定すること（すなわち、決定ブロック２１４＝「Ｎｏ」）に応答して、ワイヤレス通信デバイス・プロセッサは、ブロック２１６において、現在のモード制御能力設定を維持し得る。モード制御能力が新たなモード制御能力設定に切り替えられる必要があると決定すること（すなわち、決定ブロック２１４＝「Ｙｅｓ」）に応答して、ワイヤレス通信デバイス・プロセッサは、ブロック２１８において、新たなモード制御能力設定を実施し得る。
【００３８】
[0043]図３は、ワイヤレス通信デバイス・プロセッサが、ワイヤレス通信デバイスにおいてセキュアなペルソナ切替エンジンを実行することによって実施され得る別の実施形態方法３００を例示する。ブロック３０１において、ワイヤレス通信デバイス・プロセッサは、ワイヤレス通信デバイスの近接ブロードキャスト受信機アプリケーションが、決定ブロック３０２において、ブロードキャスト・メッセージを受信したか否かを決定するために、モニタリング・モードにおいて連続的に動作し得る。ワイヤレス通信デバイスの近接ブロードキャスト受信機が、ブロードキャスト・メッセージを受信していないと決定すること（すなわち、決定ブロック３０２＝「Ｎｏ」）に応答して、ワイヤレス通信デバイス・プロセッサは、決定ブロック３０２、およびブロック３０１における連続モニタリング状態に戻り得る。近接ブロードキャスト受信機アプリケーションが、ブロードキャスト・メッセージを受信したと決定すること（すなわち、決定ブロック３０２＝「Ｙｅｓ」）に応答して、ブロック３０４において、ワイヤレス通信デバイス・プロセッサは、ブロードキャスト・メッセージのソースとして役立つ近接ビーコンを識別し得る。いくつかの実施形態では、近接ビーコンから受信された信号は、ワイヤレス通信デバイス・プロセッサが、近接ビーコン・ソースを識別することを可能にするために十分な情報を提供し得る。他の実施形態では、近接ブロードキャスト受信機は、受信したブロードキャスト信号を、他の情報（たとえば、タイムスタンプ・データ、近接情報等）とともに観測メッセージの形式で中央サーバへ中継し得、それは、近接ビーコンの識別情報を、ワイヤレス通信デバイスへ返すために使用され得る。
【００３９】
[0044]決定ブロック３０６では、ワイヤレス通信デバイス・プロセッサは、識別された近接ビーコンが、自動モード切替（すなわち、新たなペルソナ）に関連付けられているか否かを決定し得る。識別された近接ビーコンが、自動モード切替に関連付けられていないと決定すること（すなわち、決定ブロック３０６＝「Ｎｏ」）に応答して、ブロック３０８において、ワイヤレス通信デバイス・プロセッサは、現在のペルソナを維持し、受信されたブロードキャストを無視し得る。識別された近接ビーコンが、自動モード切替に関連付けられていると決定すること（すなわち、決定ブロック３０６＝「Ｙｅｓ」）に応答して、ワイヤレス通信デバイス・プロセッサは、ブロック３１０において、対応する新たなペルソナ（すなわち、対応するオペレーティング・モードおよび／または制御能力）を識別し得る。いくつかの実施形態では、対応する新たなペルソナを識別することは、ワイヤレス通信デバイス上のセキュアなストレージ内に維持されたローカル・データベースまたは他のデータ構造へアクセスすることによって実行され得る。他の実施形態では、識別された新たなペルソナは、中央制御設定サーバのようなサーバに問い合わせことによって識別され得る。
【００４０】
[0045]さまざまな実施形態では、限定されないが、近接センサが使用されるものを含む、識別された新たなペルソナは、別の、より広いペルソナのサブ・モードであり得る。たとえば、より広いペルソナの特定のサブ・モードは、指定された能力を、より広いペルソナを実施した、いくつかの、すべてではないユーザへ提供するコンテンツを含み得る。決定ブロック３１２では、ワイヤレス通信デバイス・プロセッサは、識別された新たなペルソナが、より広いペルソナのサブ・モードであるか否かを決定し得る。識別された新たなペルソナが、より広いペルソナのサブ・モードであると決定すること（すなわち、決定ブロック３１２＝「Ｙｅｓ」）に応答して、ブロック３１４では、ワイヤレス通信デバイスがサブ・モードに入ることができることを確認するために、ワイヤレス通信デバイス・プロセッサは、中央制御設定サーバへメッセージを送信し得る。たとえば、ワイヤレス通信デバイス・プロセッサは、ワイヤレス通信デバイスが（たとえば、特定の教室／学校のコース、授業出席リストのチェック、ホームワーク割当が提出されていたか否か等に関連付けられたサブ・モードのための）サブ・モードを実施するために評価される必要のあるさらなる登録または許可が存在しないことを保証するためのチェックを行い得る。ブロック３１６では、ワイヤレス通信デバイス・プロセッサは、ブロック３１０において識別された新たなペルソナへ自動モード切替を促すことによってサブ・モードを実施し得る。このような自動切替は、サブ・モードのオペレーティング・モード特性を識別すること、および／または、サブ・モードまたはより広いペルソナに関連付けられたこの他さまざまなセキュリティまたは検証チェックを実行すること、を含み得る。
【００４１】
[0046]識別された新たなペルソナが、より広いペルソナのサブ・モードではないと決定すること（すなわち、決定ブロック３１２＝「Ｎｏ」）に応答して、ブロック３１８では、ワイヤレス通信デバイス・プロセッサは、図２を参照して上述された方法２００におけるブロック２０６および／または決定ブロック２１４において識別された新たなオペレーティング・モードおよび／またはモード切替能力を実施し得る。いくつかの実施形態では、識別された新たなペルソナを実施することは、図２を参照して上述したように、方法２００における決定ブロック２０８に戻ることによって新たなオペレーティング・モードを実施することを含み得る。いくつかの実施形態では、識別された新たなペルソナを実施することは、それに加えて、または、この代わりに、図２を参照して上述したように方法２００における決定ブロック２１４に戻ることによって新たなモード制御能力を実施することを含み得る。
【００４２】
[0047]他のさまざまな実施形態は、複雑な制限および企業特有のケースを生成するために、ペルソナの自動的な切替のために異なるトリガ、モード、および条件を適用し得る。さまざまな実施形態は、モード切替のためのジオフェンスおよび近接ベースのトリガに限定されないことがある。むしろ、企業によって高度にカスタマイズされ得るペルソナへの自動切替を引き起こすために、任意の数のトリガ・イベントが、他のトリガ・イベントとともに使用され得るか、および／または、他のトリガ・イベントと結合され得る。このようなトリガ・イベントの例は、日付および時間（たとえば、時刻および／またはタイム・スパン）ベースのトリガ・イベントを含み得る。例示的な実施形態では、ワイヤレス通信デバイスは、日付および／または時間ベースのトリガ・イベントを検出し得、これは、特定の対応するオペレーティング・モードおよび／またはモード制御能力を識別するために、ジオフェンス・イベントおよび受信した近接ブロードキャスト・メッセージと組み合わせて使用され得る。別の例示的な実施形態では、日付および／または時間ベースのトリガ・イベントは、ワイヤレスデバイスにおいて既に実施され得る、（たとえば、学校が学期中である場合、一定のワーク時間中、ある時刻／曜日等に生じるワークイベントまたは学校行事等のための）より広いペルソナの特定のサブ・モードを識別し得る。
【００４３】
[0048]別のタイプのトリガ・イベントは、自動モード切替を促すことを許可されたサード・パーティ・デバイスからの通知を受信することによってトリガされるリアル・タイム・アラートであり得る。たとえば、救急医療士（ＥＭＴ）モードまたはペルソナは、ＥＭＴユーザを事故現場へ向けるメッセージによってトリガされ得る。
【００４４】
[0049]別のタイプのトリガ・イベントは、アプリケーションベースのトリガであり得、これは、ワイヤレス通信デバイスにおけるアプリケーションにおいて、または、このアプリケーションから、アラートを受信すると、特定のモードまたはペルソナを自動的に開始し得る。たとえば、カレンダ・アプリケーションにおけるアラート、および／または、特定の電子メール・クライアントを通して受信した電子メールは、オペレーティング・モード、サブ・モード、および／または、モード制御能力の切替を含む、自動モード切替のためのトリガを提供し得る。たとえば、カレンダ・アプリケーションによってスケジュールされたアポイントメントは、自動モード切替のためのトリガを提供し得る。自動モード切替のためのトリガのためのさらなる例は、時間ベースの制約、日付ベースの制約、および遠隔デバイスから受信した信号を含み得る。
【００４５】
[0050]さまざまな実施形態において企業によって使用され得るペルソナとトリガのいくつかの組合せが、図４に例示され、それは、代表的な企業４００を図示する。代表的な企業４００（「企業１」）のためのデータは、２つの異なるオペレーティング・モード４０２ａ、４０２ｂを補う（make up）トリガ・イベントおよびオペレーティング・モード特性を含み得る。さらに、オペレーティング・モード４０２ａ、４０２ｂと、さまざまなモード制御能力設定４０４との間の関係が提供され得る。例示的な実施形態では、企業１に関連付けられたオペレーティング・モードのうちの１つは、学校モード４０２ａであり得る。このためのデータは、学校モード４０２ａに関連付けられたさまざまなトリガ・イベント、複数のトリガ・イベントの組合せ、および、オペレーティング特性のセット、を定義する１つまたは複数のデータ構造で提供され得る。たとえば、デバイスに学校モード４０２ａを実施させるであろう複数のトリガ・イベントの組合せは、企業１に現在位置している近接ビーコンの識別子（ＩＤ）のみならず、学校グランドを包囲するジオフェンスのＩＤであり得る。デバイスに学校モード４０２ａを実施させるであろう個別のトリガ・イベントは、ホームワークが、先生とのアポイントメントによることを示すカレンダ入力であり得る。
【００４６】
[0051]学校モード４０２ａを定義するオペレーティング特性のセットは、トリガ・イベントと同じデータ構造内に含まれ得るか、または、個別に提供され得る。このようなオペレーティング特性のセットは、学校電子メールクライアントまたはアカウントをイネーブルしながら、ソーシャル・メディア・アプリおよびゲームをディセーブルするようにオペレーティング・システムを促すデータ・フィールドまたはフラグを含み得る。学校モード４０２ａの一部であり得る別のオペレーティング特性は、特定のセルラ・データ・ネットワーク・サービスのように、使用されるべき特定のワイヤレスアクセス・アカウントのための情報をプロビジョンすること（provisioning）を識別するか、または含んでいる。
【００４７】
[0052]例示的な実施形態では、企業１に関連付けられた別のオペレーティング・モードは、テスト・モード４０２ｂであり得る。このためのデータは、テスト・モード４０２ｂに関連付けられたさまざまなトリガ・イベント、複数のトリガ・イベントの組合せ、および、オペレーティング特性のセット、を定義する１つまたは複数のデータ構造で提供され得る。たとえば、デバイスにテスト・モード４０２ａを実施させるであろう複数のトリガ・イベントの組合せは、企業１においておよび／または特定の教室内に現在位置している少なくとも１つの近接ビーコンの識別子（ＩＤ）、学校のいくつかまたはすべてを包囲するジオフェンスのＩＤ、および特定の日付／時間条件であり得る。（たとえば、インターネットおよびセルラ・ネットワーク・アクセスをディセーブルすること、ローカル・メモリ・アクセスをディセーブルすること、および、ユーザ・インターフェースにおけるカウントダウン・タイマおよび計算機をイネーブルすることのような）オペレーティング特性のセットは、テスト・モード４０２ｂを定義する。
【００４８】
[0053]図４はまた、さまざまなモード制御能力設定４１２を実施する（すなわち、オペレーティング・モードの選択を制御するようにユーザの能力をイネーブル、ディセーブル、または制限する）ように機能するモード制御モジュール４１０とともに構成され得るワイヤレス通信デバイスを例示する。たとえば、ユーザのワイヤレス通信デバイスが、特定のジオフェンスＩＤに関連付けられたロケーションまたはエリア内にあるとき、特定のオペレーティング・モードの実施を制御するためのユーザの能力がディセーブルされ得る。それゆえ、現在実施されている、または、ジオフェンス・エリアに入ると自動的に切り替えられるオペレーティング・モードは、ユーザによるオーバーライドまたは変化に依存しない（is not subject to override or changing）。したがって、企業１は、オペレーティング・モード４０２ａ、４０２ｂと、モード制御能力設定４１２との組合せに基づいて、さまざまなペルソナ・オプションを有し得る。
【００４９】
[0054]さまざまな実施形態は、種々のワイヤレス通信デバイスの何れかにおいて実施され得、この例は図５に例示される。たとえば、ワイヤレス通信デバイス５００は、内部メモリ５０４、５０６に結合されたプロセッサ５０２を含み得る。内部メモリ５０４、５０６は、揮発性または不揮発性のメモリであり得、また、セキュアなおよび／または暗号化されたメモリ、または、非セキュアなおよび／または暗号化されていないメモリ、またはこれらの任意の組合せでもあり得る。プロセッサ５０２はまた、抵抗性感知タッチスクリーン、容量性感知タッチスクリーン、赤外線感知タッチスクリーン等のようなタッチ・スクリーン・ディスプレイ５１２にも結合され得る。それに加えて、ワイヤレス通信デバイス５００のディスプレイは、タッチスクリーン能力を有する必要はない。
【００５０】
[0055]ワイヤレス通信デバイス５００は、互いに結合され、および／または、プロセッサ５０２と、ワイヤレス信号を送信および受信するための１つまたは複数の無線周波数（ＲＦ）トランシーバ５０８（たとえば、Ｐｅａｎｕｔ（登録商標）、Ｂｌｕｅｔｏｏｔｈ（登録商標）、Ｚｉｇｂｅｅ（登録商標）、Ｗｉ−Ｆｉ、ＲＦ無線）およびアンテナ５１０を有し得る。ワイヤレス通信デバイス５００は、プロセッサを含むワイヤレスモデムまたはモデム・チップ５１６のようなセルラ・ネットワーク・インターフェースを含み得る。モデムまたはモデム・チップ５１６は、セルラ・データ・ネットワーク（たとえば、ＣＤＭＡ、ＴＤＭＡ、ＧＳＭ、ＰＣＳ、３Ｇ、４Ｇ、ＬＴＥ、または他の任意のタイプのセルラ・データ・ネットワーク）のような広域ネットワークを介した通信を可能にし、プロセッサ５０２に結合され得る。別の実施形態では、モデムまたはモデム・チップ５１６は、コンテンツへのアクセスを制御する際にモデムまたはモデム・チップ５１６をサポートするプロセッサおよび／またはメモリを含むオプションのコンポーネント５１７へ結合され得る。モデムまたはモデム・チップ５１６およびオプションのコンポーネント５１７は、完全に分離したハードウェアの断片であり得るか、または、同じチップ上のハードウェアコンポーネントであり得る。
【００５１】
[0056]ワイヤレス通信デバイス５００は、プロセッサ５０２に結合された周辺デバイス接続インターフェース５１８を含み得る。周辺デバイス接続インターフェース５１８は、１つのタイプの接続を受け取るように単数で構成され得るか、または、ＵＳＢ、Ｆｉｒｅ  Ｗｉｒｅ、Ｔｈｕｎｄｅｒｂｏｌｔ、またはＰＣＩｅのような共有または専用の、さまざまなタイプの物理的および通信接続を受け取るように複数で構成され得る。周辺デバイス接続インターフェース５１８はまた、同様に構成された周辺デバイス接続ポートにも結合され得る。ワイヤレス通信デバイス５００はまた、オーディオ出力を提供するためのスピーカ５１４を含み得る。ワイヤレス通信デバイス５００はまた、本明細書にて議論されたコンポーネントのすべてまたはいくつかを含むための、プラスチック、金属、または、材料の組合せからなるハウジング５２０を含み得る。ワイヤレス通信デバイス５００は、使い捨てまたは再充電可能なバッテリのように、プロセッサ５０２に結合された電源５２２を含み得る。再充電可能なバッテリはまた、ワイヤレス通信デバイス５００の外部のソースから充電電流を受け取るための周辺デバイス接続ポートに結合され得る。
【００５２】
[0057]さまざまな実施形態は、図６に例示されたサーバ６００のようなさまざまな市販の利用可能なサーバ・デバイスの何れかにおいても実施され得る。このようなサーバ６００は、一般に、揮発性メモリ６０２に結合されたプロセッサ６０１と、たとえば、ディスク・ドライブ６０３のような大容量不揮発性メモリとを含む。サーバ６００はまた、プロセッサ６０１に結合されたフロッピー（登録商標）ディスク・ドライブ、コンパクト・ディスク（ＣＤ）またはＤＶＤディスク・ドライブ６０４を含み得る。サーバ６００はまた、他のブロードキャスト・システム・コンピュータおよびサーバに結合されたローカル・エリア・ネットワーク、インターネット、公衆交換電話網、および／または、セルラ・データ・ネットワーク（たとえばＣＤＭＡ、ＴＤＭＡ、ＧＳＭ、ＰＣＳ、３Ｇ、４Ｇ、ＬＴＥ、または他の任意のタイプのセルラ・データ・ネットワーク）のようなネットワーク６０７とのネットワーク・インターフェース接続を確立するためのプロセッサ６０１に結合されたネットワーク・アクセス・ポート６０６をも含み得る。
【００５３】
[0058]プロセッサ５０２、６０１、モデムまたはモデム・チップ５１６、およびオプションのコンポーネント５１７は、任意のプログラマブル・マイクロプロセッサ、マイクロコンピュータ、または、マルチ・プロセッサ・チップまたはチップであり得る。これらは、前に記述されたさまざまな実施形態の機能を含むさまざまな機能を実行するためのソフトウェア命令（アプリケーション）によって構成され得る。いくつかのデバイスでは、１つのプロセッサが、ワイヤレス通信機能に特化され、１つのプロセッサが、他のアプリケーションを実行することに特化されたような、複数のプロセッサが提供され得る。一般に、ソフトウェア・アプリケーションは、それらがアクセスされ、プロセッサ５０２、６０１、モデムまたはモデム・チップ５１６、およびオプションのコンポーネント５１７内にロードされる前に、内部メモリ内に記憶され得る。プロセッサ５０２、６０１、モデムまたはモデム・チップ５１６、およびオプションのコンポーネント５１７は、アプリケーション・ソフトウェア命令を記憶するのに十分な内部メモリを含み得る。多くのデバイスにおいて、内部メモリは、たとえばフラッシュ・メモリのような不揮発性メモリまたは揮発性メモリ、またはこれらの組合せであり得る。この記述のために、メモリへの一般的な言及は、プロセッサ５０２、６０１と、モデムまたはモデム・チップ５１６と、ワイヤレス通信デバイス内にプラグされた内部メモリまたはリムーバブル・メモリ、プロセッサ５０２、６０１、モデムまたはモデム・チップ５１６、およびオプションのコンポーネント５１７自身の内部のメモリを含むオプションのコンポーネント５１７とによってアクセス可能なメモリを称する。
【００５４】
[0059]前述した方法の記述およびプロセスフロー図は、単に、例示的な例として提供されており、これらさまざまな実施形態のステップが、示された順で実行されねばならないことを必要とすることも、強要することも意図されていない。当業者によって理解されるであろうが、前述した実施形態におけるステップの順序は、任意の順序で実行され得る。「この後」、「そして」、「次に」等のような用語は、これらステップの順序を限定することは意図されておらず、これらの単語は単に、これら方法の記述によって、読者を案内するために使用される。さらに、たとえば、「ａ」、「ａｎ」、または「ｔｈｅ」といった冠詞を用いた、単数形の特許請求の範囲の要素への参照は、その要素を単数形に限定するものとして解釈されるべきではない。
【００５５】
[0060]本明細書に開示された実施形態に関連して記述された、例示的なさまざまな論理ブロック、モジュール、回路、およびアルゴリズム・ステップは、電子ハードウェア、コンピュータ・ソフトウェア、またはこれら両方の組合せとして実施され得る。ハードウェアとソフトウェアとのこの相互置換性を明確に例示するために、さまざまな例示的なコンポーネント、ブロック、モジュール、回路、およびステップが、これらの機能の観点から一般的に前に記述された。これら機能がハードウェアとしてまたはソフトウェアとして実施されるか否かは、特定のアプリケーション、およびシステム全体に課せられている設計制約に依存する。当業者であれば、各特定のアプリケーションに応じて変化する方式で上述した機能を実施し得るが、この実施判断は、本発明の範囲からの逸脱をもたらすものと解釈されるべきではない。
【００５６】
[0061]本明細書に開示された態様に関連して記述された例示的なさまざまなロジック、論理ブロック、モジュール、および回路を実施するために使用されるハードウェアは、本明細書に記載された機能を実行するように設計された汎用プロセッサ、デジタル信号プロセッサ（ＤＳＰ）、特定用途向け集積回路（ＡＳＩＣ）、フィールド・プログラマブル・ゲート・アレイ（ＦＰＧＡ）またはこの他のプログラマブル論理デバイス、ディスクリート・ゲートまたはトランジスタ・ロジック、ディスクリート・ハードウェアコンポーネント、または、これら任意の組合せを用いて実施または実行され得る。汎用プロセッサは、マイクロプロセッサであり得るが、代わりに、汎用プロセッサは、任意の従来式のプロセッサ、コントローラ、マイクロコントローラ、あるいはステート・マシンであり得る。プロセッサはまた、たとえば、ＤＳＰとマイクロプロセッサとの組合せや、複数のマイクロプロセッサ、ＤＳＰコアと連携された１つまたは複数のマイクロプロセッサ、または、この他任意のこのような構成のような、複数のコンピューティング・デバイスの組合せとして実施され得る。あるいは、いくつかのステップまたは方法は、所与の機能に特有の回路によって実行され得る。
【００５７】
[0062]１つまたは複数の典型的な態様では、記述された機能は、ハードウェア、ソフトウェア、ファームウェア、またはこれらの任意の組合せで実施され得る。ソフトウェアで実施される場合、これら機能は、１つまたは複数の命令またはコードとして、非一時的なコンピュータ読取可能な媒体または非一時的なプロセッサ読取可能な媒体上に記憶され得る。本明細書において開示された方法またはアルゴリズムのステップは、非一時的なコンピュータ読取可能な記憶媒体またはプロセッサ読取可能な記憶媒体上に存在し得るプロセッサ実行可能なソフトウェア・モジュールにおいて具体化され得る。非一時的なコンピュータ読取可能またはプロセッサ読取可能な記憶媒体は、コンピュータまたはプロセッサによってアクセスされ得る任意の記憶媒体であり得る。例として、限定ではなく、このような非一時的なコンピュータ読取可能な、または、プロセッサ読取可能な媒体は、ＲＡＭ、ＲＯＭ、ＥＥＰＲＯＭ（登録商標）、ＦＬＡＳＨメモリ、ＣＤ−ＲＯＭまたは他の光ディスク記憶装置、磁気ディスク記憶装置または他の磁気記憶デバイス、または、所望されるプログラム・コードを、命令およびデータ構造の形式で記憶するために使用され、かつ、コンピュータによってアクセスされ得るこの他任意の媒体を含み得る。本明細書で使用されるように、ｄｉｓｋおよびｄｉｓｃは、コンパクト・ディスク（ＣＤ）、レーザーディスク（登録商標）、光ディスク、デジタル多用途ディスク（ＤＶＤ）、フロッピーディスク、およびｂｌｕ−ｒａｙ（登録商標）ディスクを含み、通常、ｄｉｓｋは、データを磁気的に再生し、ｄｉｓｃは、レーザを用いて光学的にデータを再生する。上記の組合せもまた、非一時的なコンピュータ読取可能な、および、プロセッサ読取可能な媒体の範囲内に含まれる。それに加えて、方法またはアルゴリズムの動作は、非一時的なプロセッサ読取可能な媒体および／またはコンピュータ読取可能な媒体における命令および／またはコードの１つまたは任意の組合せまたはセットとして存在し得、それはコンピュータ・プログラム製品内に組み込まれ得る。
【００５８】
[0063]開示された実施形態の前述した記述は、当業者が、本発明の製造または使用を可能にするように提供される。これら実施形態に対するさまざまな修正が、当業者に容易に明らかになるであろう。そして、本明細書で定義された一般的な原理は、本発明の精神または範囲から逸脱することなく他の実施形態に適用され得る。従って、本発明は、本明細書で図示された実施形態に限定されることは意図されていないが、以下の特許請求の範囲、および、本明細書に開示された原理および新規な機能に一致した最も広い範囲に相当するべきである。
【図１】
2017514328.tif 000003
【図２】
2017514328.tif 000004
【図３】
2017514328.tif 000005
【図４】
2017514328.tif 000006
【図５】
2017514328.tif 000007
【図６】
2017514328.tif 000008
【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
ワイヤレス通信デバイスにおいて複数のモードを自動的に制御するための方法であって、
ワイヤレスアイデンティティ送信機から信号を受信することと、ここにおいて、前記ワイヤレスアイデンティティ送信機から信号を受信することは、前記ワイヤレスアイデンティティ送信機が、前記ワイヤレス通信デバイスの定義された近接内にあることを示し、
前記ワイヤレス通信デバイスのロケーションを識別するジオフェンス・イベントの通知を受信することと、
前記示されたワイヤレスアイデンティティ送信機へ前記ワイヤレス通信デバイスの前記ロケーションを適用することによって、第１のオペレーティング・モードを決定することと、
前記第１のオペレーティング・モードに関連付けられたオペレーティング特性のセットを識別することと、
前記ワイヤレス通信デバイスにおいて、前記関連付けられたオペレーティング特性のセットを実施することによって、前記ワイヤレス通信デバイスの動作を、前記第１のオペレーティング・モードへ切り替えることと、
前記第１のオペレーティング・モードが、少なくとも１つのモード制御能力に関連付けられているか否かを決定することと、ここにおいて、各モード制御能力は、前記第１のオペレーティング・モード以外のモードを選択するためのユーザ制御のレベルを定義する設定を備え、
前記第１のオペレーティング・モードが、少なくとも１つのモード制御能力に関連付けられていると決定することに応答して、新たなモード制御能力へ切り替えるか否かを決定することと、
を備える、方法。
【請求項２】
前記ワイヤレス通信デバイスの動作を、前記第１のオペレーティング・モードへ切り替えることは、
前記ワイヤレス通信デバイスの現在のオペレーティング・モードに少なくとも部分的に基づいて、前記ジオフェンス・イベントおよび前記ワイヤレスアイデンティティ送信機が、前記第１のオペレーティング・モードへの自動モード切替に関連付けられているか否かを決定することと、
前記ジオフェンス・イベントおよび前記ワイヤレスアイデンティティ送信機が、前記第１のオペレーティング・モードへの自動モード切替に関連付けられていると決定することに応答して、前記ワイヤレス通信デバイスの前記現在のオペレーティング・モードを維持することと、
を備える、請求項１に記載の方法。
【請求項３】
新たなモード制御能力へ切り替えるか否かを決定することは、
前記第１のオペレーティング・モードに関連付けられた前記少なくとも１つのモード制御能力を識別することと、
前記少なくとも１つのモード制御能力が、前記第１のオペレーティング・モードに関連付けられた複数のモード制御能力を備えているか否かを決定することと、
前記少なくとも１つのモード制御能力が、前記第１のオペレーティング・モードに関連付けられた複数のモード制御能力を備えていると決定することに応答して、前記示されたワイヤレスアイデンティティ送信機と前記ワイヤレス通信デバイスの少なくとも前記ロケーションに基づいて、第１のモード制御能力を識別することと、
前記少なくとも１つのモード制御能力が、複数のモード制御能力を備えていないと決定することに応答して、前記第１のモード制御能力を、前記第１のオペレーティング・モードに関連付けられた前記１つのモード制御能力として識別することと、
を備える、請求項１に記載の方法。
【請求項４】
新たなモード制御能力へ切り替えるか否かを決定することはさらに、
前記識別された第１のモード制御能力を、前記ワイヤレス通信デバイスにおいて現在実施されているモード制御能力設定と比較することと、
前記識別された第１のモード制御能力が、前記現在実施されているモード制御能力設定に対応していないと決定することに応答して、前記第１のモード制御能力へ切り替えることと、
を備える、請求項３に記載の方法。
【請求項５】
前記第１のオペレーティング・モードに関連付けられた前記オペレーティング特性は、ユーザ許可、ユーザ制限、前記ワイヤレス通信デバイスにおける命じられたコンテンツ記憶ロケーション、および、前記ワイヤレス通信デバイスにおける通信のための命じられたサブスクリプションのうちの少なくとも１つを備え、
前記第１のオペレーティング・モードに関連付けられた前記オペレーティング特性のセット、および、前記第１のモード制御能力に関連付けられたモード制御能力設定は、企業によって生成される、請求項４に記載の方法。
【請求項６】
前記ワイヤレスアイデンティティ送信機から信号を受信することはさらに、前記ワイヤレスアイデンティティ送信機に関連付けられた少なくとも１つのコンテキストを示し、ここにおいて、前記少なくとも１つのコンテキストは、第２のロケーションを前記ワイヤレスアイデンティティ送信機へ適用することが、第２のオペレーティング・モードを決定するような、少なくとも１つの前記第２のロケーションに適用可能である、請求項１に記載の方法。
【請求項７】
前記第２のオペレーティング・モードは、前記第１のオペレーティング・モードのサブ・モードを備える、請求項６に記載の方法。
【請求項８】
カレンダ・アプリケーションによってスケジュールされたアポイントメント、時間ベースの制約、日付ベースの制約、および遠隔デバイスから受信した信号、からなるグループから選択されたアポイントメント追加トリガ・イベントの通知を受信すること
をさらに備える、請求項１に記載の方法。
【請求項９】
前記示されたワイヤレスアイデンティティ送信機および前記ワイヤレス通信デバイスの前記ロケーションへ前記追加トリガ・イベントを適用することによって、前記第１のオペレーティング・モードの第２のオペレーティング・モードを決定すること
をさらに備える、請求項８に記載の方法。
【請求項１０】
前記第１のオペレーティング・モードに関連付けられた前記オペレーティング特性のセットを識別することは、
前記第１のオペレーティング・モードに関連付けられた前記オペレーティング特性が、前記ワイヤレス通信デバイスにおけるメモリ内に記憶されているか否かを決定することと、
前記第１のオペレーティング・モードに関連付けられた前記オペレーティング特性が、メモリ内に記憶されていないと決定することに応答して、前記第１のオペレーティング・モードに関連付けられた前記オペレーティング特性のセットを取得するための要求をサーバへ送信することと、
を備える、請求項１に記載の方法。
【請求項１１】
ワイヤレス通信デバイスであって、
無線周波数トランシーバと、
前記無線周波数トランシーバに結合され、
ワイヤレスアイデンティティ送信機から信号を受信することと、ここにおいて、前記ワイヤレスアイデンティティ送信機から信号を受信することは、前記ワイヤレスアイデンティティ送信機が、前記ワイヤレス通信デバイスの定義された近接内にあることを示し、
前記ワイヤレス通信デバイスのロケーションを識別するジオフェンス・イベントの通知を受信することと、
前記示されたワイヤレスアイデンティティ送信機へ前記ワイヤレス通信デバイスの前記ロケーションを適用することによって、第１のオペレーティング・モードを決定することと、
前記第１のオペレーティング・モードに関連付けられたオペレーティング特性のセットを識別することと、
前記ワイヤレス通信デバイスにおいて、前記関連付けられたオペレーティング特性のセットを実施することによって、前記ワイヤレス通信デバイスの動作を、前記第１のオペレーティング・モードへ切り替えることと、
前記第１のオペレーティング・モードが、少なくとも１つのモード制御能力に関連付けられているか否かを決定することと、ここにおいて、各モード制御能力は、前記第１のオペレーティング・モード以外のモードを選択するためのユーザ制御のレベルを定義する設定を備え、
前記第１のオペレーティング・モードが、少なくとも１つのモード制御能力に関連付けられていると決定することに応答して、新たなモード制御能力へ切り替えるか否かを決定することと、
を備える動作を実行するための、プロセッサ実行可能な命令で構成されたプロセッサと、
を備える、ワイヤレス通信デバイス。
【請求項１２】
前記ワイヤレス通信デバイスの動作を、前記第１のオペレーティング・モードへ切り替えることが、
前記ワイヤレス通信デバイスの現在のオペレーティング・モードに少なくとも部分的に基づいて、前記ジオフェンス・イベントおよび前記ワイヤレスアイデンティティ送信機が、前記第１のオペレーティング・モードへの自動モード切替に関連付けられているか否かを決定することと、
前記ジオフェンス・イベントおよび前記ワイヤレスアイデンティティ送信機が、前記第１のオペレーティング・モードへの自動モード切替に関連付けられていると決定することに応答して、前記ワイヤレス通信デバイスの前記現在のオペレーティング・モードを維持することと、
を備えるような動作を実行するためのプロセッサ実行可能な命令で、前記プロセッサが構成される、請求項１１に記載のワイヤレス通信デバイス。
【請求項１３】
新たなモード制御能力へ切り替えるか否かを決定することが、
前記第１のオペレーティング・モードに関連付けられた前記少なくとも１つのモード制御能力を識別することと、
前記少なくとも１つのモード制御能力が、前記第１のオペレーティング・モードに関連付けられた複数のモード制御能力を備えているか否かを決定することと、
前記少なくとも１つのモード制御能力が、前記第１のオペレーティング・モードに関連付けられた複数のモード制御能力を備えていると決定することに応答して、前記示されたワイヤレスアイデンティティ送信機と前記ワイヤレス通信デバイスの少なくとも前記ロケーションに基づいて、第１のモード制御能力を識別することと、
前記少なくとも１つのモード制御能力が、複数のモード制御能力を備えていないと決定することに応答して、前記第１のモード制御能力を、前記第１のオペレーティング・モードに関連付けられた前記１つのモード制御能力として識別することと、
を備えるような動作を実行するためのプロセッサ実行可能な命令で、前記プロセッサが構成される、請求項１１に記載のワイヤレス通信デバイス。
【請求項１４】
新たなモード制御能力へ切り替えるか否かを決定することがさらに、
前記識別された第１のモード制御能力を、前記ワイヤレス通信デバイスにおいて現在実施されているモード制御能力設定と比較することと、
前記識別された第１のモード制御能力が、前記現在実施されているモード制御能力設定に対応していないと決定することに応答して、前記第１のモード制御能力へ切り替えることと、
を備えるような動作を実行するためのプロセッサ実行可能な命令で、前記プロセッサが構成される、請求項１３に記載のワイヤレス通信デバイス。
【請求項１５】
前記第１のオペレーティング・モードに関連付けられた前記オペレーティング特性が、ユーザ許可、ユーザ制限、前記ワイヤレス通信デバイスにおける命じられたコンテンツ記憶ロケーション、および、前記ワイヤレス通信デバイスにおける通信のための命じられたサブスクリプションのうちの少なくとも１つを備え、
前記第１のオペレーティング・モードに関連付けられた前記オペレーティング特性のセット、および、前記第１のモード制御能力に関連付けられたモード制御能力設定が、企業によって生成される、
ような動作を実行するためのプロセッサ実行可能な命令で、前記プロセッサが構成される、請求項１４に記載のワイヤレス通信デバイス。
【請求項１６】
前記ワイヤレスアイデンティティ送信機から信号を受信することがさらに、前記ワイヤレスアイデンティティ送信機に関連付けられた少なくとも１つのコンテキストを示すような動作を実行するためのプロセッサ実行可能な命令で、前記プロセッサが構成され、ここにおいて、前記少なくとも１つのコンテキストは、第２のロケーションを前記ワイヤレスアイデンティティ送信機へ適用することが、第２のオペレーティング・モードを決定するような、少なくとも１つの前記第２のロケーションに適用可能である、請求項１１に記載のワイヤレス通信デバイス。
【請求項１７】
前記第２のオペレーティング・モードが、前記第１のオペレーティング・モードのサブ・モードを備えるような動作を実行するためのプロセッサ実行可能な命令で、前記プロセッサが構成される、請求項１６に記載のワイヤレス通信デバイス。
【請求項１８】
カレンダ・アプリケーションによってスケジュールされたアポイントメント、時間ベースの制約、日付ベースの制約、および遠隔デバイスから受信した信号、からなるグループから選択された追加トリガ・イベントの通知を受信すること
をさらに備える動作を実行するためのプロセッサ実行可能な命令で、前記プロセッサが構成される、請求項１１に記載のワイヤレス通信デバイス。
【請求項１９】
前記示されたワイヤレスアイデンティティ送信機および前記ワイヤレス通信デバイスの前記ロケーションへ前記追加トリガ・イベントを適用することによって、前記第１のオペレーティング・モードの第２のオペレーティング・モードを決定すること
をさらに備える動作を実行するためのプロセッサ実行可能な命令で、前記プロセッサが構成される、請求項１８に記載のワイヤレス通信デバイス。
【請求項２０】
前記第１のオペレーティング・モードに関連付けられた前記オペレーティング特性のセットを識別することが、
前記第１のオペレーティング・モードに関連付けられた前記オペレーティング特性が、前記ワイヤレス通信デバイスにおけるメモリ内に記憶されているか否かを決定することと、
前記第１のオペレーティング・モードに関連付けられた前記オペレーティング特性が、メモリ内に記憶されていないと決定することに応答して、前記第１のオペレーティング・モードに関連付けられた前記オペレーティング特性のセットを取得するための要求をサーバへ送信することと、
を備えるような動作を実行するためのプロセッサ実行可能な命令で、前記プロセッサが構成される、請求項１１に記載のワイヤレス通信デバイス。
【請求項２１】
ワイヤレス通信デバイスであって、
ワイヤレスアイデンティティ送信機から信号を受信するための手段と、ここにおいて、前記ワイヤレスアイデンティティ送信機から信号を受信することは、前記ワイヤレスアイデンティティ送信機が、前記ワイヤレス通信デバイスの定義された近接内にあることを示し、
前記ワイヤレス通信デバイスのロケーションを識別するジオフェンス・イベントの通知を受信するための手段と、
前記示されたワイヤレスアイデンティティ送信機へ前記ワイヤレス通信デバイスの前記ロケーションを適用することによって、第１のオペレーティング・モードを決定するための手段と、
前記第１のオペレーティング・モードに関連付けられたオペレーティング特性のセットを識別するための手段と、
前記ワイヤレス通信デバイスにおいて、前記関連付けられたオペレーティング特性のセットを実施することによって、前記ワイヤレス通信デバイスの動作を、前記第１のオペレーティング・モードへ切り替えるための手段と、
前記第１のオペレーティング・モードが、少なくとも１つのモード制御能力に関連付けられているか否かを決定するための手段と、ここにおいて、各モード制御能力は、前記第１のオペレーティング・モード以外のモードを選択するためのユーザ制御のレベルを定義する設定を備え、
前記第１のオペレーティング・モードが、少なくとも１つのモード制御能力に関連付けられていると決定することに応答して、新たなモード制御能力へ切り替えるか否かを決定するための手段と、
を備える、ワイヤレス通信デバイス。
【請求項２２】
前記ワイヤレス通信デバイスの動作を、前記第１のオペレーティング・モードへ切り替えるための手段は、
前記ワイヤレス通信デバイスの現在のオペレーティング・モードに少なくとも部分的に基づいて、前記ジオフェンス・イベントおよび前記ワイヤレスアイデンティティ送信機が、前記第１のオペレーティング・モードへの自動モード切替に関連付けられているか否かを決定するための手段と、
前記ジオフェンス・イベントおよび前記ワイヤレスアイデンティティ送信機が、前記第１のオペレーティング・モードへの自動モード切替に関連付けられていると決定することに応答して、前記ワイヤレス通信デバイスの前記現在のオペレーティング・モードを維持するための手段と、
を備える、請求項２１に記載のワイヤレス通信デバイス。
【請求項２３】
新たなモード制御能力へ切り替えるか否かを決定するための手段は、
前記第１のオペレーティング・モードに関連付けられた少なくとも１つのモード制御能力を識別するための手段と、ここにおいて、各モード制御能力は、前記第１のオペレーティング・モード以外のモードを選択するためのユーザ制御のレベルを定義する設定を備え、
前記少なくとも１つのモード制御能力が、前記第１のオペレーティング・モードに関連付けられた複数のモード制御能力を備えているか否かを決定するための手段と、
前記少なくとも１つのモード制御能力が、前記第１のオペレーティング・モードに関連付けられた複数のモード制御能力を備えていると決定することに応答して、前記示されたワイヤレスアイデンティティ送信機と前記ワイヤレス通信デバイスの少なくとも前記ロケーションに基づいて、第１のモード制御能力を識別するための手段と、
前記少なくとも１つのモード制御能力が、複数のモード制御能力を備えていないと決定することに応答して、前記第１のモード制御能力を、前記第１のオペレーティング・モードに関連付けられた前記１つのモード制御能力として識別するための手段と、
前記第１のオペレーティング・モードが、少なくとも１つのモード制御能力に関連付けられていると決定することに応答して、前記識別された第１のモード制御能力を、前記ワイヤレス通信デバイスにおいて現在実施されているモード制御能力設定と比較するための手段と、
前記識別された第１のモード制御能力が、前記現在実施されているモード制御能力設定に対応していないと決定することに応答して、前記第１のモード制御能力へ切り替えるための手段と、
を備える、請求項２１に記載のワイヤレス通信デバイス。
【請求項２４】
前記第１のオペレーティング・モードに関連付けられた前記オペレーティング特性のセットを識別するための手段は、
前記第１のオペレーティング・モードに関連付けられた前記オペレーティング特性が、前記ワイヤレス通信デバイスにおけるメモリ内に記憶されているか否かを決定するための手段と、
前記第１のオペレーティング・モードに関連付けられた前記オペレーティング特性が、メモリ内に記憶されていないと決定することに応答して、前記第１のオペレーティング・モードに関連付けられた前記オペレーティング特性のセットを取得するための要求をサーバへ送信するための手段と、
を備える、請求項２１に記載のワイヤレス通信デバイス。
【請求項２５】
ワイヤレスアイデンティティ送信機から信号を受信することと、ここにおいて、前記ワイヤレスアイデンティティ送信機から信号を受信することは、前記ワイヤレスアイデンティティ送信機が、ワイヤレス通信デバイスの定義された近接内にあることを示し、
前記ワイヤレス通信デバイスのロケーションを識別するジオフェンス・イベントの通知を受信することと、
前記示されたワイヤレスアイデンティティ送信機へ前記ワイヤレス通信デバイスの前記ロケーションを適用することによって、第１のオペレーティング・モードを決定することと、
前記第１のオペレーティング・モードに関連付けられたオペレーティング特性のセットを識別することと、
前記ワイヤレス通信デバイスにおいて、前記関連付けられたオペレーティング特性のセットを実施することによって、前記ワイヤレス通信デバイスの動作を、前記第１のオペレーティング・モードへ切り替えることと、
前記第１のオペレーティング・モードが、少なくとも１つのモード制御能力に関連付けられているか否かを決定するための手段と、ここにおいて、各モード制御能力は、前記第１のオペレーティング・モード以外のモードを選択するためのユーザ制御のレベルを定義する設定を備え、
前記第１のオペレーティング・モードが、少なくとも１つのモード制御能力に関連付けられていると決定することに応答して、新たなモード制御能力へ切り替えるか否かを決定するための手段と、
を備える動作を、ワイヤレスデバイスのプロセッサに実行させるように構成されたプロセッサ実行可能な命令を記憶した、非一時的なプロセッサ読取可能な記憶媒体。
【請求項２６】
前記ワイヤレス通信デバイスの動作を、前記第１のオペレーティング・モードへ切り替えることが、
前記ワイヤレス通信デバイスの現在のオペレーティング・モードに少なくとも部分的に基づいて、前記ジオフェンス・イベントおよび前記ワイヤレスアイデンティティ送信機が、前記第１のオペレーティング・モードへの自動モード切替に関連付けられているか否かを決定することと、
前記ジオフェンス・イベントおよび前記ワイヤレスアイデンティティ送信機が、前記第１のオペレーティング・モードへの自動モード切替に関連付けられていると決定することに応答して、前記ワイヤレス通信デバイスの前記現在のオペレーティング・モードを維持することと、
を備えるような動作を、ワイヤレス通信デバイスのプロセッサに実行させるように、前記記憶されたプロセッサ実行可能な命令が構成される、請求項２５に記載の非一時的なプロセッサ読取可能な記憶媒体。
【請求項２７】
新たなモード制御能力へ切り替えるか否かを決定することが、
前記第１のオペレーティング・モードに関連付けられた少なくとも１つのモード制御能力を識別することと、ここにおいて、各モード制御能力は、前記第１のオペレーティング・モード以外のモードを選択するためのユーザ制御のレベルを定義する設定を備え、
前記少なくとも１つのモード制御能力が、前記第１のオペレーティング・モードに関連付けられた複数のモード制御能力を備えているか否かを決定することと、
前記少なくとも１つのモード制御能力が、前記第１のオペレーティング・モードに関連付けられた複数のモード制御能力を備えていると決定することに応答して、前記示されたワイヤレスアイデンティティ送信機と前記ワイヤレス通信デバイスの少なくとも前記ロケーションに基づいて、第１のモード制御能力を識別することと、
前記少なくとも１つのモード制御能力が、複数のモード制御能力を備えていないと決定することに応答して、前記第１のモード制御能力を、前記第１のオペレーティング・モードに関連付けられた前記１つのモード制御能力として識別することと、
前記第１のオペレーティング・モードが、少なくとも１つのモード制御能力に関連付けられていると決定することに応答して、前記識別された第１のモード制御能力を、前記ワイヤレス通信デバイスにおいて現在実施されているモード制御能力設定と比較することと、
前記識別された第１のモード制御能力が、前記現在実施されているモード制御能力設定に対応していないと決定することに応答して、前記第１のモード制御能力へ切り替えることと、
を備えるような動作を、ワイヤレス通信デバイスのプロセッサに実行させるように、前記記憶されたプロセッサ実行可能な命令が構成される、請求項２５に記載の非一時的なプロセッサ読取可能な記憶媒体。
【請求項２８】
前記第１のオペレーティング・モードに関連付けられた前記オペレーティング特性のセットを識別することが、
前記第１のオペレーティング・モードに関連付けられた前記オペレーティング特性が、前記ワイヤレス通信デバイスにおけるメモリ内に記憶されているか否かを決定することと、
前記第１のオペレーティング・モードに関連付けられた前記オペレーティング特性が、メモリ内に記憶されていないと決定することに応答して、前記第１のオペレーティング・モードに関連付けられた前記オペレーティング特性のセットを取得するための要求をサーバへ送信することと、
を備えるような動作を、ワイヤレス通信デバイスのプロセッサに実行させるように、前記記憶されたプロセッサ実行可能な命令が構成される、請求項２５に記載の非一時的なプロセッサ読取可能な記憶媒体。
【手続補正２】
【補正対象書類名】明細書
【補正対象項目名】００５８
【補正方法】変更
【補正の内容】
【００５８】
[0063]開示された実施形態の前述した記述は、当業者が、本発明の製造または使用を可能にするように提供される。従って、本発明は、本明細書で図示された実施形態に限定されることは意図されていないが、以下の特許請求の範囲、および、本明細書に開示された原理および新規な機能に一致した最も広い範囲に相当するべきである。
以下に本願出願の当初の特許請求の範囲に記載された発明を付記する。
［Ｃ１］
ワイヤレス通信デバイスにおいて複数のモードを自動的に制御するための方法であって、
ワイヤレスアイデンティティ送信機から信号を受信することと、ここにおいて、前記ワイヤレスアイデンティティ送信機から信号を受信することは、前記ワイヤレスアイデンティティ送信機が、前記ワイヤレス通信デバイスの定義された近接内にあることを示し、
前記ワイヤレス通信デバイスのロケーションを識別するジオフェンス・イベントの通知を受信することと、
前記示されたワイヤレスアイデンティティ送信機へ前記ワイヤレス通信デバイスの前記ロケーションを適用することによって、第１のオペレーティング・モードを決定することと、
前記第１のオペレーティング・モードに関連付けられたオペレーティング特性のセットを識別することと、
前記ワイヤレス通信デバイスにおいて、前記関連付けられたオペレーティング特性のセットを実施することによって、前記ワイヤレス通信デバイスの動作を、前記第１のオペレーティング・モードへ切り替えることと、
を備える、方法。
［Ｃ２］
前記ワイヤレス通信デバイスの動作を、前記第１のオペレーティング・モードへ切り替えることは、
前記ワイヤレス通信デバイスの現在のオペレーティング・モードに少なくとも部分的に基づいて、前記ジオフェンス・イベントおよび前記ワイヤレスアイデンティティ送信機が、前記第１のオペレーティング・モードへの自動モード切替に関連付けられているか否かを決定することと、
前記ジオフェンス・イベントおよび前記ワイヤレスアイデンティティ送信機が、前記第１のオペレーティング・モードへの自動モード切替に関連付けられていると決定することに応答して、前記ワイヤレス通信デバイスの前記現在のオペレーティング・モードを維持することと、
を備える、Ｃ１に記載の方法。
［Ｃ３］
前記第１のオペレーティング・モードが、少なくとも１つのモード制御能力に関連付けられているか否かを決定することと、ここにおいて、各モード制御能力は、前記第１のオペレーティング・モード以外のモードを選択するためのユーザ制御のレベルを定義する設定を備え、
前記第１のオペレーティング・モードが、少なくとも１つのモード制御能力に関連付けられていると決定することに応答して、新たなモード制御能力へ切り替えるか否かを決定することと、
をさらに備える、Ｃ１に記載の方法。
［Ｃ４］
新たなモード制御能力へ切り替えるか否かを決定することは、
前記第１のオペレーティング・モードに関連付けられた前記少なくとも１つのモード制御能力を識別することと、
前記少なくとも１つのモード制御能力が、前記第１のオペレーティング・モードに関連付けられた複数のモード制御能力を備えているか否かを決定することと、
前記少なくとも１つのモード制御能力が、前記第１のオペレーティング・モードに関連付けられた複数のモード制御能力を備えていると決定することに応答して、前記示されたワイヤレスアイデンティティ送信機と前記ワイヤレス通信デバイスの少なくとも前記ロケーションに基づいて、第１のモード制御能力を識別することと、
前記少なくとも１つのモード制御能力が、複数のモード制御能力を備えていないと決定することに応答して、前記第１のモード制御能力を、前記第１のオペレーティング・モードに関連付けられた前記１つのモード制御能力として識別することと、
を備える、Ｃ３に記載の方法。
［Ｃ５］
新たなモード制御能力へ切り替えるか否かを決定することはさらに、
前記識別された第１のモード制御能力を、前記ワイヤレス通信デバイスにおいて現在実施されているモード制御能力設定と比較することと、
前記識別された第１のモード制御能力が、前記現在実施されているモード制御能力設定に対応していないと決定することに応答して、前記第１のモード制御能力へ切り替えることと、
を備える、Ｃ４に記載の方法。
［Ｃ６］
前記第１のオペレーティング・モードに関連付けられた前記オペレーティング特性は、ユーザ許可、ユーザ制限、前記ワイヤレス通信デバイスにおける命じられたコンテンツ記憶ロケーション、および、前記ワイヤレス通信デバイスにおける通信のための命じられたサブスクリプションのうちの少なくとも１つを備え、
前記第１のオペレーティング・モードに関連付けられたオペレーティング特性のセット、および、前記第１のモード制御能力に関連付けられたモード制御能力設定は、企業によって生成される、Ｃ５に記載の方法。
［Ｃ７］
前記ワイヤレスアイデンティティ送信機から信号を受信することはさらに、前記ワイヤレスアイデンティティ送信機に関連付けられた少なくとも１つのコンテキストを示し、ここにおいて、前記少なくとも１つのコンテキストは、第２のロケーションを前記ワイヤレスアイデンティティ送信機へ適用することが、第２のオペレーティング・モードを決定するような、少なくとも１つの前記第２のロケーションに適用可能である、Ｃ１に記載の方法。
［Ｃ８］
前記第２のオペレーティング・モードは、前記第１のオペレーティング・モードのサブ・モードを備える、Ｃ７に記載の方法。
［Ｃ９］
カレンダ・アプリケーションによってスケジュールされたアポイントメント、時間ベースの制約、日付ベースの制約、および遠隔デバイスから受信した信号、からなるグループから選択されたアポイントメント追加トリガ・イベントの通知を受信すること
をさらに備える、Ｃ１に記載の方法。
［Ｃ１０］
前記示されたワイヤレスアイデンティティ送信機および前記ワイヤレス通信デバイスの前記ロケーションへ前記追加トリガ・イベントを適用することによって、前記第１のオペレーティング・モードの第２のオペレーティング・モードを決定すること
をさらに備える、Ｃ９に記載の方法。
［Ｃ１１］
前記第１のオペレーティング・モードに関連付けられた前記オペレーティング特性のセットを識別することは、
前記第１のオペレーティング・モードに関連付けられた前記オペレーティング特性が、前記ワイヤレス通信デバイスにおけるメモリ内に記憶されているか否かを決定することと、
前記第１のオペレーティング・モードに関連付けられた前記オペレーティング特性が、メモリ内に記憶されていないと決定することに応答して、前記第１のオペレーティング・モードに関連付けられた前記オペレーティング特性のセットを取得するための要求をサーバへ送信することと、
を備える、Ｃ１に記載の方法。
［Ｃ１２］
ワイヤレス通信デバイスであって、
無線周波数トランシーバと、
前記無線周波数トランシーバに結合され、
ワイヤレスアイデンティティ送信機から信号を受信することと、ここにおいて、前記ワイヤレスアイデンティティ送信機から信号を受信することは、前記ワイヤレスアイデンティティ送信機が、前記ワイヤレス通信デバイスの定義された近接内にあることを示し、
前記ワイヤレス通信デバイスのロケーションを識別するジオフェンス・イベントの通知を受信することと、
前記示されたワイヤレスアイデンティティ送信機へ前記ワイヤレス通信デバイスの前記ロケーションを適用することによって、第１のオペレーティング・モードを決定することと、
前記第１のオペレーティング・モードに関連付けられたオペレーティング特性のセットを識別することと、
前記ワイヤレス通信デバイスにおいて、前記関連付けられたオペレーティング特性のセットを実施することによって、前記ワイヤレス通信デバイスの動作を、前記第１のオペレーティング・モードへ切り替えることと、
を備える動作を実行するための、プロセッサ実行可能な命令で構成されたプロセッサと、
を備える、ワイヤレス通信デバイス。
［Ｃ１３］
前記ワイヤレス通信デバイスの動作を、前記第１のオペレーティング・モードへ切り替えることが、
前記ワイヤレス通信デバイスの現在のオペレーティング・モードに少なくとも部分的に基づいて、前記ジオフェンス・イベントおよび前記ワイヤレスアイデンティティ送信機が、前記第１のオペレーティング・モードへの自動モード切替に関連付けられているか否かを決定することと、
前記ジオフェンス・イベントおよび前記ワイヤレスアイデンティティ送信機が、前記第１のオペレーティング・モードへの自動モード切替に関連付けられていると決定することに応答して、前記ワイヤレス通信デバイスの前記現在のオペレーティング・モードを維持することと、
を備えるような動作を実行するためのプロセッサ実行可能な命令で、前記プロセッサが構成される、Ｃ１２に記載のワイヤレス通信デバイス。
［Ｃ１４］
前記第１のオペレーティング・モードが、少なくとも１つのモード制御能力に関連付けられているか否かを決定することと、ここにおいて、各モード制御能力は、前記第１のオペレーティング・モード以外のモードを選択するためのユーザ制御のレベルを定義する設定を備え、
前記第１のオペレーティング・モードが、少なくとも１つのモード制御能力に関連付けられていると決定することに応答して、新たなモード制御能力へ切り替えるか否かを決定することと、
をさらに備える動作を実行するための、プロセッサ実行可能な命令で前記プロセッサが構成される、Ｃ１２に記載のワイヤレス通信デバイス。
［Ｃ１５］
新たなモード制御能力へ切り替えるか否かを決定することが、
前記第１のオペレーティング・モードに関連付けられた前記少なくとも１つのモード制御能力を識別することと、
前記少なくとも１つのモード制御能力が、前記第１のオペレーティング・モードに関連付けられた複数のモード制御能力を備えているか否かを決定することと、
前記少なくとも１つのモード制御能力が、前記第１のオペレーティング・モードに関連付けられた複数のモード制御能力を備えていると決定することに応答して、前記示されたワイヤレスアイデンティティ送信機と前記ワイヤレス通信デバイスの少なくとも前記ロケーションに基づいて、第１のモード制御能力を識別することと、
前記少なくとも１つのモード制御能力が、複数のモード制御能力を備えていないと決定することに応答して、前記第１のモード制御能力を、前記第１のオペレーティング・モードに関連付けられた前記１つのモード制御能力として識別することと、
を備えるような動作を実行するためのプロセッサ実行可能な命令で、前記プロセッサが構成される、Ｃ１４に記載のワイヤレス通信デバイス。
［Ｃ１６］
新たなモード制御能力へ切り替えるか否かを決定することがさらに、
前記識別された第１のモード制御能力を、前記ワイヤレス通信デバイスにおいて現在実施されているモード制御能力設定と比較することと、
前記識別された第１のモード制御能力が、前記現在実施されているモード制御能力設定に対応していないと決定することに応答して、前記第１のモード制御能力へ切り替えることと、
を備えるような動作を実行するためのプロセッサ実行可能な命令で、前記プロセッサが構成される、Ｃ１５に記載のワイヤレス通信デバイス。
［Ｃ１７］
前記第１のオペレーティング・モードに関連付けられた前記オペレーティング特性が、ユーザ許可、ユーザ制限、前記ワイヤレス通信デバイスにおける命じられたコンテンツ記憶ロケーション、および、前記ワイヤレス通信デバイスにおける通信のための命じられたサブスクリプションのうちの少なくとも１つを備え、
前記第１のオペレーティング・モードに関連付けられた前記オペレーティング特性のセット、および、前記第１のモード制御能力に関連付けられたモード制御能力設定が、企業によって生成される、
ような動作を実行するためのプロセッサ実行可能な命令で、前記プロセッサが構成される、Ｃ１６に記載のワイヤレス通信デバイス。
［Ｃ１８］
前記ワイヤレスアイデンティティ送信機から信号を受信することがさらに、前記ワイヤレスアイデンティティ送信機に関連付けられた少なくとも１つのコンテキストを示すような動作を実行するためのプロセッサ実行可能な命令で、前記プロセッサが構成され、ここにおいて、前記少なくとも１つのコンテキストは、第２のロケーションを前記ワイヤレスアイデンティティ送信機へ適用することが、第２のオペレーティング・モードを決定するような、少なくとも１つの前記第２のロケーションに適用可能である、Ｃ１２に記載のワイヤレス通信デバイス。
［Ｃ１９］
前記第２のオペレーティング・モードが、前記第１のオペレーティング・モードのサブ・モードを備えるような動作を実行するためのプロセッサ実行可能な命令で、前記プロセッサが構成される、Ｃ１８に記載のワイヤレス通信デバイス。
［Ｃ２０］
カレンダ・アプリケーションによってスケジュールされたアポイントメント、時間ベースの制約、日付ベースの制約、および遠隔デバイスから受信した信号、からなるグループから選択された追加トリガ・イベントの通知を受信すること
をさらに備える動作を実行するためのプロセッサ実行可能な命令で、前記プロセッサが構成される、Ｃ１２に記載のワイヤレス通信デバイス。
［Ｃ２１］
前記示されたワイヤレスアイデンティティ送信機および前記ワイヤレス通信デバイスの前記ロケーションへ前記追加トリガ・イベントを適用することによって、前記第１のオペレーティング・モードの第２のオペレーティング・モードを決定すること
をさらに備える動作を実行するためのプロセッサ実行可能な命令で、前記プロセッサが構成される、Ｃ２０に記載のワイヤレス通信デバイス。
［Ｃ２２］
前記第１のオペレーティング・モードに関連付けられた前記オペレーティング特性のセットを識別することが、
前記第１のオペレーティング・モードに関連付けられた前記オペレーティング特性が、前記ワイヤレス通信デバイスにおけるメモリ内に記憶されているか否かを決定することと、
前記第１のオペレーティング・モードに関連付けられた前記オペレーティング特性が、メモリ内に記憶されていないと決定することに応答して、前記第１のオペレーティング・モードに関連付けられた前記オペレーティング特性のセットを取得するための要求をサーバへ送信することと、
を備えるような動作を実行するためのプロセッサ実行可能な命令で、前記プロセッサが構成される、Ｃ１２に記載のワイヤレス通信デバイス。
［Ｃ２３］
ワイヤレス通信デバイスであって、
ワイヤレスアイデンティティ送信機から信号を受信するための手段と、ここにおいて、前記ワイヤレスアイデンティティ送信機から信号を受信することは、前記ワイヤレスアイデンティティ送信機が、前記ワイヤレス通信デバイスの定義された近接内にあることを示し、
前記ワイヤレス通信デバイスのロケーションを識別するジオフェンス・イベントの通知を受信するための手段と、
前記示されたワイヤレスアイデンティティ送信機へ前記ワイヤレス通信デバイスの前記ロケーションを適用することによって、第１のオペレーティング・モードを決定するための手段と、
前記第１のオペレーティング・モードに関連付けられたオペレーティング特性のセットを識別するための手段と、
前記ワイヤレス通信デバイスにおいて、前記関連付けられたオペレーティング特性のセットを実施することによって、前記ワイヤレス通信デバイスの動作を、前記第１のオペレーティング・モードへ切り替えるための手段と、
を備える、ワイヤレス通信デバイス。
［Ｃ２４］
前記ワイヤレス通信デバイスの動作を、前記第１のオペレーティング・モードへ切り替えるための手段は、
前記ワイヤレス通信デバイスの現在のオペレーティング・モードに少なくとも部分的に基づいて、前記ジオフェンス・イベントおよび前記ワイヤレスアイデンティティ送信機が、前記第１のオペレーティング・モードへの自動モード切替に関連付けられているか否かを決定するための手段と、
前記ジオフェンス・イベントおよび前記ワイヤレスアイデンティティ送信機が、前記第１のオペレーティング・モードへの自動モード切替に関連付けられていると決定することに応答して、前記ワイヤレス通信デバイスの前記現在のオペレーティング・モードを維持するための手段と、
を備える、Ｃ２３に記載のワイヤレス通信デバイス。
［Ｃ２５］
新たなモード制御能力へ切り替えるか否かを決定するための手段は、
前記第１のオペレーティング・モードに関連付けられた少なくとも１つのモード制御能力を識別するための手段と、ここにおいて、各モード制御能力は、前記第１のオペレーティング・モード以外のモードを選択するためのユーザ制御のレベルを定義する設定を備え、
前記少なくとも１つのモード制御能力が、前記第１のオペレーティング・モードに関連付けられた複数のモード制御能力を備えているか否かを決定するための手段と、
前記少なくとも１つのモード制御能力が、前記第１のオペレーティング・モードに関連付けられた複数のモード制御能力を備えていると決定することに応答して、前記示されたワイヤレスアイデンティティ送信機と前記ワイヤレス通信デバイスの少なくとも前記ロケーションに基づいて、第１のモード制御能力を識別するための手段と、
前記少なくとも１つのモード制御能力が、複数のモード制御能力を備えていないと決定することに応答して、前記第１のモード制御能力を、前記第１のオペレーティング・モードに関連付けられた前記１つのモード制御能力として識別するための手段と、
前記第１のオペレーティング・モードが、少なくとも１つのモード制御能力に関連付けられていると決定することに応答して、前記識別された第１のモード制御能力を、前記ワイヤレス通信デバイスにおいて現在実施されているモード制御能力設定と比較するための手段と、
前記識別された第１のモード制御能力が、前記現在実施されているモード制御能力設定に対応していないと決定することに応答して、前記第１のモード制御能力へ切り替えるための手段と、
を備える、Ｃ２３に記載のワイヤレス通信デバイス。
［Ｃ２６］
前記第１のオペレーティング・モードに関連付けられた前記オペレーティング特性のセットを識別するための手段は、
前記第１のオペレーティング・モードに関連付けられた前記オペレーティング特性が、前記ワイヤレス通信デバイスにおけるメモリ内に記憶されているか否かを決定するための手段と、
前記第１のオペレーティング・モードに関連付けられた前記オペレーティング特性が、メモリ内に記憶されていないと決定することに応答して、前記第１のオペレーティング・モードに関連付けられた前記オペレーティング特性のセットを取得するための要求をサーバへ送信するための手段と、
を備える、Ｃ２３に記載のワイヤレス通信デバイス。
［Ｃ２７］
ワイヤレスアイデンティティ送信機から信号を受信することと、ここにおいて、前記ワイヤレスアイデンティティ送信機から信号を受信することは、前記ワイヤレスアイデンティティ送信機が、ワイヤレス通信デバイスの定義された近接内にあることを示し、
前記ワイヤレス通信デバイスのロケーションを識別するジオフェンス・イベントの通知を受信することと、
前記示されたワイヤレスアイデンティティ送信機へ前記ワイヤレス通信デバイスの前記ロケーションを適用することによって、第１のオペレーティング・モードを決定することと、
前記第１のオペレーティング・モードに関連付けられたオペレーティング特性のセットを識別することと、
前記ワイヤレス通信デバイスにおいて、前記関連付けられたオペレーティング特性のセットを実施することによって、前記ワイヤレス通信デバイスの動作を、前記第１のオペレーティング・モードへ切り替えることと、
を備える動作を、ワイヤレスデバイスのプロセッサに実行させるように構成されたプロセッサ実行可能な命令を記憶した、非一時的なプロセッサ読取可能な記憶媒体。
［Ｃ２８］
前記ワイヤレス通信デバイスの動作を、前記第１のオペレーティング・モードへ切り替えることが、
前記ワイヤレス通信デバイスの現在のオペレーティング・モードに少なくとも部分的に基づいて、前記ジオフェンス・イベントおよび前記ワイヤレスアイデンティティ送信機が、前記第１のオペレーティング・モードへの自動モード切替に関連付けられているか否かを決定することと、
前記ジオフェンス・イベントおよび前記ワイヤレスアイデンティティ送信機が、前記第１のオペレーティング・モードへの自動モード切替に関連付けられていると決定することに応答して、前記ワイヤレス通信デバイスの前記現在のオペレーティング・モードを維持することと、
を備えるような動作を、ワイヤレス通信デバイスのプロセッサに実行させるように、前記記憶されたプロセッサ実行可能な命令が構成される、Ｃ２７に記載の非一時的なプロセッサ読取可能な記憶媒体。
［Ｃ２９］
新たなモード制御能力へ切り替えるか否かを決定することが、
前記第１のオペレーティング・モードに関連付けられた少なくとも１つのモード制御能力を識別することと、ここにおいて、各モード制御能力は、前記第１のオペレーティング・モード以外のモードを選択するためのユーザ制御のレベルを定義する設定を備え、
前記少なくとも１つのモード制御能力が、前記第１のオペレーティング・モードに関連付けられた複数のモード制御能力を備えているか否かを決定することと、
前記少なくとも１つのモード制御能力が、前記第１のオペレーティング・モードに関連付けられた複数のモード制御能力を備えていると決定することに応答して、前記示されたワイヤレスアイデンティティ送信機と前記ワイヤレス通信デバイスの少なくとも前記ロケーションに基づいて、第１のモード制御能力を識別することと、
前記少なくとも１つのモード制御能力が、複数のモード制御能力を備えていないと決定することに応答して、前記第１のモード制御能力を、前記第１のオペレーティング・モードに関連付けられた前記１つのモード制御能力として識別することと、
前記第１のオペレーティング・モードが、少なくとも１つのモード制御能力に関連付けられていると決定することに応答して、前記識別された第１のモード制御能力を、前記ワイヤレス通信デバイスにおいて現在実施されているモード制御能力設定と比較することと、
前記識別された第１のモード制御能力が、前記現在実施されているモード制御能力設定に対応していないと決定することに応答して、前記第１のモード制御能力へ切り替えることと、
を備えるような動作を、ワイヤレス通信デバイスのプロセッサに対して実行させるように、前記記憶されたプロセッサ実行可能な命令が構成される、Ｃ２７に記載の非一時的なプロセッサ読取可能な記憶媒体。
［Ｃ３０］
前記第１のオペレーティング・モードに関連付けられた前記オペレーティング特性のセットを識別することが、
前記第１のオペレーティング・モードに関連付けられた前記オペレーティング特性が、前記ワイヤレス通信デバイスにおけるメモリ内に記憶されているか否かを決定することと、
前記第１のオペレーティング・モードに関連付けられた前記オペレーティング特性が、メモリ内に記憶されていないと決定することに応答して、前記第１のオペレーティング・モードに関連付けられた前記オペレーティング特性のセットを取得するための要求をサーバへ送信することと、
を備えるような動作を、ワイヤレス通信デバイスのプロセッサに実行させるように、前記記憶されたプロセッサ実行可能な命令が構成される、Ｃ２７に記載の非一時的なプロセッサ読取可能な記憶媒体。
【国際調査報告】
2017514328.tif 000009
2017514328.tif 000010